(57)【要約】      （修正有）【課題】ワイヤレス通信において効率的なセル探索プロシージャのための同期信号及び相関計算方法を提供する。【解決手段】狭帯域ワイヤレス通信セル探索において、同期信号は、電力効率的なセル収集をサポートするためにカバーコードを使用するいくつかのシンボル期間上で繰り返されるシーケンスを含む。同期信号を受信するユーザ機器が、低複雑度自己相関および相互相関プロシージャの重み付けされた組合せおよび累積を同期信号に対して実施し、セルのための周波数およびタイミング情報を決定する。低減複雑度相関プロシージャは、カバーコード及び基本シーケンスの使用に基き可能にされる。いくつかの場合には、相互相関は、複数のサンプリングレートにおいて実施される。同期信号内のカバーコードの使用はまた、他のセル探索プロシージャに対してさらに低減された計算複雑度を可能にし、再帰的または繰返し更新を使用する相関プロシージャをサポートする。【選択図】図５
2020074528.tif 000002
【特許請求の範囲】
【請求項１】
セルの帯域幅の狭帯域部分を使用して同期信号を受信することと、ここにおいて、前記同期信号が、カバーコードを使用して複数のシンボル期間上で繰り返される基本シーケンスを備える、
前記同期信号と前記カバーコードとに少なくとも部分的に基づいて、前記セルのための周波数オフセットまたはタイミングオフセットのうちの少なくとも１つを検出することと、ここにおいて、前記検出することが、
第１のサンプリングレートにおける前記同期信号に対するスライディング自己相関を使用して、第１のタイミングオフセット推定値または第１の周波数オフセット推定値を決定することと、
前記第１のタイミングオフセット推定値または前記第１の周波数オフセット推定値を適用することに少なくとも部分的に基づいて、前記第１のサンプリングレートにおける前記同期信号に対する第１の相互相関を使用して、第２のタイミングオフセット推定値または第２の周波数オフセット推定値を決定することと、
前記第２のタイミングオフセット推定値または前記第２の周波数オフセット推定値を適用することに少なくとも部分的に基づいて、第２のサンプリングレートにおける前記同期信号に対する第２の相互相関を使用して、前記周波数オフセットまたは前記タイミングオフセットのうちの前記少なくとも１つを検出することと
を備える、
前記周波数オフセットまたは前記タイミングオフセットのうちの前記少なくとも１つを適用することに少なくとも部分的に基づいて、前記セルの識別情報を決定することと
を備えるワイヤレス通信の方法。
【請求項２】
前記スライディング自己相関が、複数のラグのためのスライディング自己相関の組合せを備える、請求項１に記載の方法。
【請求項３】
メトリックに少なくとも部分的に基づいて、複数の組合せ関数から、複数のラグのためのスライディング自己相関の前記組合せのための関数を選択すること
をさらに備える、請求項２に記載の方法。
【請求項４】
前記スライディング自己相関、前記第１の相互相関、または前記第２の相互相関のうちの少なくとも１つが、前記同期信号の相関パラメータの更新に少なくとも部分的に基づく、請求項１に記載の方法。
【請求項５】
前記カバーコードに少なくとも部分的に基づいて、複数のシーケンス項の第１の値を決定することと、ここにおいて、前記複数のシーケンス項の各シーケンス項が、前記複数のシンボル期間のうちのシンボル期間の間に受信された前記同期信号の一部分に対応する、
前記第１の値と基準シーケンス項とに少なくとも部分的に基づいて、第２の値を決定することと、ここにおいて、前記第１の相互相関または前記第２の相互相関が、前記第２の値に少なくとも部分的に基づく、
をさらに備える、請求項１に記載の方法。
【請求項６】
前記スライディング自己相関の累積が、前記同期信号の少なくとも１つの前に受信されたバージョンの相関パラメータと、前記同期信号の相関パラメータとに少なくとも部分的に基づく、請求項１に記載の方法。
【請求項７】
２次同期信号（ＳＳＳ）に少なくとも部分的に基づいて、前記セルの前記識別情報を決定することをさらに備え、ここにおいて、前記ＳＳＳが、前記タイミングオフセットまたは前記周波数オフセットのうちの前記少なくとも１つの前記適用することに少なくとも部分的に基づいて、受信された信号中で識別される、
請求項１に記載の方法。
【請求項８】
前記セルの前記識別情報を前記決定することが、複信モードまたはサイクリックプレフィックス（ＣＰ）長を決定することをさらに備える、請求項１に記載の方法。
【請求項９】
前記基本シーケンスが定振幅ゼロ自己相関（ＣＡＺＡＣ）シーケンスを備える、請求項１に記載の方法。
【請求項１０】
前記カバーコードがバイナリカバーコードを備える、請求項１に記載の方法。
【請求項１１】
前記バイナリカバーコードがアンチポーダルバイナリカバーコードを備える、請求項１０に記載の方法。
【請求項１２】
前記カバーコードがポリフェーズシーケンスを備える、請求項１に記載の方法。
【請求項１３】
ワイヤレス通信のための装置であって、
プロセッサと、
前記プロセッサと電子通信しているメモリと、
前記メモリに記憶された命令と、を備え、前記命令が、前記プロセッサによって実行されると、前記装置に、
セルの帯域幅の狭帯域部分を使用して同期信号を受信することと、ここにおいて、前記同期信号が、カバーコードを使用して複数のシンボル期間上で繰り返される基本シーケンスを備える、
前記同期信号と前記カバーコードとに少なくとも部分的に基づいて、前記セルのための周波数オフセットまたはタイミングオフセットのうちの少なくとも１つを検出することと、ここにおいて、前記同期信号と前記カバーコードとに少なくとも部分的に基づいて、前記セルのための周波数オフセットまたはタイミングオフセットのうちの少なくとも１つを検出する前記命令が、
第１のサンプリングレートにおける前記同期信号に対するスライディング自己相関を使用して、第１のタイミングオフセット推定値または第１の周波数オフセット推定値を決定することと、
前記第１のタイミングオフセット推定値または前記第１の周波数オフセット推定値を適用することに少なくとも部分的に基づいて、前記第１のサンプリングレートにおける前記同期信号に対する第１の相互相関を使用して、第２のタイミングオフセット推定値または第２の周波数オフセット推定値を決定することと、
前記第２のタイミングオフセット推定値または前記第２の周波数オフセット推定値を適用することに少なくとも部分的に基づいて、第２のサンプリングレートにおける前記同期信号に対する第２の相互相関を使用して、前記周波数オフセットまたは前記タイミングオフセットのうちの前記少なくとも１つを検出することと
を備える、
前記周波数オフセットまたは前記タイミングオフセットのうちの前記少なくとも１つを適用することに少なくとも部分的に基づいて、前記セルの識別情報を決定することと
を行わせるように動作可能である、装置。
【請求項１４】
前記スライディング自己相関、前記第１の相互相関、または前記第２の相互相関のうちの少なくとも１つが、前記同期信号の相関パラメータの再帰的更新に少なくとも部分的に基づく、請求項１３に記載の装置。
【請求項１５】
前記命令が、前記装置に、
前記カバーコードに少なくとも部分的に基づいて、複数のシーケンス項の第１の値を決定することと、ここにおいて、前記複数のシーケンス項の各シーケンス項が、前記複数のシンボル期間のうちのシンボル期間の間に受信された前記同期信号の一部分に対応する、
前記第１の値と基準シーケンス項とに少なくとも部分的に基づいて、第２の値を決定することと、ここにおいて、前記第１の相互相関または前記第２の相互相関が、前記第２の値に少なくとも部分的に基づく、
を行わせるように動作可能である、請求項１３に記載の装置。
【請求項１６】
前記命令が、前記装置に、
２次同期信号（ＳＳＳ）に少なくとも部分的に基づいて、前記セルの前記識別情報を決定すること、ここにおいて、前記ＳＳＳが、前記タイミングオフセットまたは前記周波数オフセットのうちの前記少なくとも１つの前記適用することに少なくとも部分的に基づいて、受信された信号中で識別される、
を行わせるように動作可能である、請求項１３に記載の装置。
【発明の詳細な説明】
【技術分野】
【０００１】
相互参照
[0001]本特許出願は、各々が本出願の譲受人に譲渡された、２０１６年１２月１２日に出願された、「Narrowband Wireless Communications Cell Search」と題する、Ｌｅｉらによる米国特許出願第１５／３７６，０２５号、および２０１６年３月１１日に出願された、「Narrowband Wireless Communications Cell Search」と題する、Ｌｅｉらによる米国仮特許出願第６２／３０７，４１９号の優先権を主張する。
【背景技術】
【０００２】
[0002]以下は、一般にワイヤレス通信に関し、より詳細には、狭帯域ワイヤレス通信セル探索に関する。
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。ワイヤレス多元接続通信システムは、各々がユーザ機器（ＵＥ）と呼ばれることがある、複数の通信デバイスのための通信を各々が同時にサポートする、いくつかの基地局を含み得る。
【０００４】
[0004]いくつかの場合には、ワイヤレスネットワークにアクセスしているＵＥは、セル探索またはセル収集プロシージャを使用して、セルのタイミングオフセット、周波数オフセット、または識別情報（identity）に関係する情報を決定することを試み得る。セル収集プロシージャは、デバイスが実施し得る他の動作に対して（relative to）電力集約的（power-intensive）であり得る。すなわち、より大きい帯域幅の狭帯域部分において動作するデバイスを含む、いくつかのデバイスの場合、セル探索プロシージャは、比較的大量の（large amount）デバイスの限られた電源を使用し得る。これは、他の有用な機能（functions）を実施するために、デバイスの能力に干渉し得るか、またはデバイスの耐用（useful）寿命を制限し得る。
【発明の概要】
【０００５】
[0005]基地局が、セルの帯域幅の狭帯域部分を使用して同期信号をブロードキャストし得る。同期信号は、電力効率的なセル収集をサポートするためにカバーコードを使用するいくつかのシンボル期間上で繰り返される基本シーケンスを含み得る。同期信号を受信するユーザ機器（ＵＥ）が、低複雑度自己相関および相互相関プロシージャの重み付けされた組合せおよび累積を同期信号に対して実施することによって、セルのための周波数およびタイミング情報を決定し得る。低減複雑度相関プロシージャは、カバーコードの使用に基づいて可能にされ得る。いくつかの場合には、相互相関は、複数のサンプリングレートにおいて実施され得る。同期信号内のカバーコードの使用はまた、他のセル探索プロシージャに対してさらに低減された計算複雑度を可能にし得る、再帰的または繰返し更新を使用する相関プロシージャをサポートし得る。
【０００６】
[0006]ワイヤレス通信の方法が説明される。本方法は、セルの帯域幅の狭帯域部分を使用して同期信号を受信することと、ここにおいて、同期信号が、カバーコードを使用して複数のシンボル期間上で繰り返される基本シーケンスを備える、同期信号とカバーコードとに少なくとも部分的に基づいて、セルのための周波数オフセットまたはタイミングオフセットのうちの少なくとも１つを検出することと、周波数オフセットまたはタイミングオフセットのうちの少なくとも１つを適用することに少なくとも部分的に基づいて、セルの識別情報を決定することとを含み得る。
【０００７】
[0007]ワイヤレス通信のための装置が説明される。本装置は、セルの帯域幅の狭帯域部分を使用して同期信号を受信するための手段と、ここにおいて、同期信号が、カバーコードを使用して複数のシンボル期間上で繰り返される基本シーケンスを備える、同期信号とカバーコードとに少なくとも部分的に基づいて、セルのための周波数オフセットまたはタイミングオフセットのうちの少なくとも１つを検出するための手段と、周波数オフセットまたはタイミングオフセットに少なくとも部分的に基づいて、セルの識別情報を決定するための手段とを含み得る。
【０００８】
[0008]さらなる装置が説明される。本装置は、プロセッサと、プロセッサと電子通信しているメモリと、メモリに記憶された命令とを含み得る。命令は、プロセッサに、セルの帯域幅の狭帯域部分を使用して同期信号を受信することと、ここにおいて、同期信号が、カバーコードを使用して複数のシンボル期間上で繰り返される基本シーケンスを備える、同期信号とカバーコードとに少なくとも部分的に基づいて、セルのための周波数オフセットまたはタイミングオフセットのうちの少なくとも１つを検出することと、周波数オフセットまたはタイミングオフセットのうちの少なくとも１つを適用することに少なくとも部分的に基づいて、セルの識別情報を決定することとを行わせるように動作可能であり得る。
【０００９】
[0009]ワイヤレス通信のための非一時的コンピュータ可読媒体が説明される。本非一時的コンピュータ可読媒体は、プロセッサに、セルの帯域幅の狭帯域部分を使用して同期信号を受信することと、ここで、同期信号が、カバーコードを使用してシンボル期間のセット上で繰り返される基本シーケンスを備える、同期信号とカバーコードとに基づいて、セルのための周波数オフセットまたはタイミングオフセットのうちの少なくとも１つを検出することと、周波数オフセットまたはタイミングオフセットのうちの少なくとも１つを適用することに少なくとも部分的に基づいて、セルの識別情報を決定することとを行わせるための命令を含み得る。
【００１０】
[0010]上記で説明された方法、装置、および非一時的コンピュータ可読媒体のいくつかの例では、検出することは、第１のサンプリングレートにおける同期信号に対する（on）スライディング自己相関（sliding autocorrelation）を使用して、第１のタイミングオフセット推定値（estimate）または第１の周波数オフセット推定値を決定することを備える。上記で説明された方法、装置、および非一時的コンピュータ可読媒体のいくつかの例は、第１のタイミングオフセット推定値または第１の周波数オフセット推定値を適用することに少なくとも部分的に基づいて、第１のサンプリングレートにおける同期信号に対する第１の相互相関を使用して、第２のタイミングオフセット推定値または第２の周波数オフセット推定値を決定するための、プロセス、特徴、手段、または命令をさらに含み得る。上記で説明された方法、装置、および非一時的コンピュータ可読媒体のいくつかの例は、第２のタイミングオフセット推定値または第２の周波数オフセット推定値を適用することに少なくとも部分的に基づいて、第２のサンプリングレートにおける同期信号に対する第２の相互相関を使用して、周波数オフセットまたはタイミングオフセットのうちの少なくとも１つを検出するための、プロセス、特徴、手段、または命令をさらに含み得る。
【００１１】
[0011]上記で説明された方法、装置、および非一時的コンピュータ可読媒体のいくつかの例では、スライディング自己相関は、複数の（multiple）ラグのためのスライディング自己相関の組合せを備える。
【００１２】
[0012]上記で説明された方法、装置、および非一時的コンピュータ可読媒体のいくつかの例は、メトリックに少なくとも部分的に基づいて、異なる計算複雑度を有する複数の組合せ関数（functions）から、複数のラグのためのスライディング自己相関の組合せのための関数を選択するための、プロセス、特徴、手段、または命令をさらに含み得る。
【００１３】
[0013]上記で説明された方法、装置、または非一時的コンピュータ可読媒体のいくつかの例では、スライディング自己相関、第１の相互相関、または第２の相互相関のうちの少なくとも１つが、同期信号の相関パラメータの再帰的更新に少なくとも部分的に基づき得る。
【００１４】
[0014]上記で説明された方法、装置、または非一時的コンピュータ可読媒体のいくつかの例は、カバーコードに基づいて、複数のシーケンス項（a plurality of sequence terms）の第１の値を決定するためのプロセス、特徴、手段、または命令をさらに含み得、ここにおいて、複数のシーケンス項の各シーケンス項が、複数のシンボル期間のうちのシンボル期間の間に受信された同期信号の一部分に対応する。上記で説明された方法、装置、または非一時的コンピュータ可読媒体のいくつかの例は、第１の値と基準シーケンス項とに少なくとも部分的に基づいて、第２の値を決定するためのプロセス、特徴、手段、または命令をさらに含み得、ここにおいて、第１の相互相関または第２の相互相関は、第２の値に少なくとも部分的に基づき得る。
【００１５】
[0015]上記で説明された方法、装置、および非一時的コンピュータ可読媒体のいくつかの例では、スライディング自己相関の累積が、受信された同期信号の相関パラメータと、同期信号の少なくとも１つの前に受信されたバージョンの相関パラメータとに少なくとも部分的に基づき得る。
【００１６】
[0016]上記で説明された方法、装置、および非一時的コンピュータ可読媒体のいくつかの例は、タイミングオフセットまたは周波数オフセットのうちの少なくとも１つの適用することに少なくとも部分的に基づいて、２次同期信号（ＳＳＳ）を受信するための、プロセス、特徴、手段、または命令をさらに含み得る。上記で説明された方法、装置、および非一時的コンピュータ可読媒体のいくつかの例は、ＳＳＳを受信することに少なくとも部分的に基づいて、セルの識別情報を決定するための、プロセス、特徴、手段、または命令をさらに含み得る。
【００１７】
[0017]上記で説明された方法、装置、および非一時的コンピュータ可読媒体のいくつかの例では、セルの識別情報を決定することは、複信モードまたはサイクリックプレフィックス（ＣＰ）長を決定することをさらに備える。上記で説明された方法、装置、または非一時的コンピュータ可読媒体のいくつかの例では、シーケンスは定振幅ゼロ自己相関（ＣＡＺＡＣ：constant amplitude zero autocorrelation）シーケンスを備える。上記で説明された方法、装置、および非一時的コンピュータ可読媒体のいくつかの例では、カバーコードはバイナリカバーコードを備える。上記で説明された方法、装置、および非一時的コンピュータ可読媒体のいくつかの例では、バイナリカバーコードはアンチポーダルバイナリカバーコードを備える。上記で説明された方法、装置、および非一時的コンピュータ可読媒体のいくつかの例では、カバーコードはポリフェーズシーケンスを備える。
【００１８】
[0018]ワイヤレス通信の方法が説明される。本方法は、基本シーケンスの複数のバージョンに適用されるカバーコードを含む同期信号を生成することと、複数のシンボル期間上でセルの帯域幅の狭帯域部分を使用して同期信号を送信することと、ここにおいて、基本シーケンスの複数のバージョンの各バージョンが、複数のシンボル期間のうちのシンボル期間を使用して送信される、を含み得る。
【００１９】
[0019]ワイヤレス通信のための装置が説明される。本装置は、基本シーケンスの複数のバージョンに適用されるカバーコードを含む同期信号を生成するための手段と、複数のシンボル期間上でセルの帯域幅の狭帯域部分を使用して同期信号を送信するための手段と、ここにおいて、基本シーケンスの複数のバージョンの各バージョンが、複数のシンボル期間のうちのシンボル期間を使用して送信される、を含み得る。
【００２０】
[0020]さらなる装置が説明される。本装置は、プロセッサと、プロセッサと電子通信しているメモリと、メモリに記憶された命令とを含み得る。命令は、プロセッサに、基本シーケンスの複数のバージョンに適用されるカバーコードを含む同期信号を生成することと、複数のシンボル期間上でセルの帯域幅の狭帯域部分を使用して同期信号を送信することと、ここにおいて、基本シーケンスの複数のバージョンの各バージョンが、複数のシンボル期間のうちのシンボル期間を使用して送信される、を行わせるように動作可能であり得る。
【００２１】
[0021]ワイヤレス通信のための非一時的コンピュータ可読媒体が説明される。本非一時的コンピュータ可読媒体は、プロセッサに、基本シーケンスのバージョンのセットに適用されるカバーコードを含む同期信号を生成することと、シンボル期間のセット上でセルの帯域幅の狭帯域部分を使用して同期信号を送信することと、ここで、基本シーケンスのバージョンのセットの各バージョンが、シンボル期間のセットのうちのシンボル期間を使用して送信される、を行わせるための命令を含み得る。
【００２２】
[0022]上記で説明された方法、装置、または非一時的コンピュータ可読媒体のいくつかの例は、セルの帯域幅の中心部分を使用して追加の同期信号を送信するためのプロセス、特徴、手段、または命令をさらに含み得、ここで、帯域幅の中心部分は、帯域幅の狭帯域部分よりも大きい。
【００２３】
[0023]上記で説明された方法、装置、または非一時的コンピュータ可読媒体のいくつかの例は、セル識別情報の指示を備えるＳＳＳを送信するためのプロセス、特徴、手段、または命令をさらに含み得る。
【００２４】
[0024]上記で説明された方法、装置、および非一時的コンピュータ可読媒体のいくつかの例では、ＳＳＳは、複信モードまたはＣＰ長をさらに備える。上記で説明された方法、装置、および非一時的コンピュータ可読媒体のいくつかの例では、カバーコードはバイナリカバーコードを備える。上記で説明された方法、装置、および非一時的コンピュータ可読媒体のいくつかの例では、バイナリカバーコードはアンチポーダルバイナリカバーコードを備える。上記で説明された方法、装置、および非一時的コンピュータ可読媒体のいくつかの例では、カバーコードはポリフェーズシーケンスを備える。上記で説明された方法、装置、および非一時的コンピュータ可読媒体のいくつかの例では、基本シーケンスはＣＡＺＡＣシーケンスを備える。
【００２５】
[0025]上記で説明された方法、装置、および非一時的コンピュータ可読媒体のいくつかの例は、複数の物理リソースブロック（ＰＲＢ）上で同期信号を送信するためのプロセス、特徴、手段、または命令をさらに含み得る。
【００２６】
[0026]上記で説明された方法、装置、および非一時的コンピュータ可読媒体のいくつかの例は、複数の同期信号を生成するためのプロセス、特徴、手段、または命令をさらに含み得、ここにおいて、各同期信号が、基本シーケンスの複数のバージョンに適用される複数のカバーコードのうちの１つを含む。上記で説明された方法、装置、および非一時的コンピュータ可読媒体のいくつかの例は、複数の物理リソースブロック（ＰＲＢ）上で複数の同期信号を送信するためのプロセス、特徴、手段、または命令をさらに含み得る。
【図面の簡単な説明】
【００２７】
【図１】[0027]本開示の態様による、狭帯域ワイヤレス通信セル探索をサポートするワイヤレス通信システムの一例を示す図。
【図２】[0028]本開示の態様による、狭帯域ワイヤレス通信セル探索をサポートするワイヤレス通信システムの一例を示す図。
【図３】[0029]本開示の態様による、狭帯域ワイヤレス通信セル探索をサポートする同期信号の一例を示す図。
【図４】[0030]本開示の態様による、狭帯域ワイヤレス通信セル探索をサポートするシステムにおける相関パターンの一例を示す図。
【図５】[0031]本開示の態様による、狭帯域ワイヤレス通信セル探索をサポートする狭帯域セル探索状態図の一例を示す図。
【図６】[0032]本開示の態様による、狭帯域ワイヤレス通信セル探索をサポートするワイヤレスデバイスのブロック図。
【図７】本開示の態様による、狭帯域ワイヤレス通信セル探索をサポートするワイヤレスデバイスのブロック図。
【図８】本開示の態様による、狭帯域ワイヤレス通信セル探索をサポートするワイヤレスデバイスのブロック図。
【図９】[0033]本開示の態様による、狭帯域ワイヤレス通信セル探索をサポートするＵＥを含むシステムのブロック図。
【図１０】[0034]本開示の態様による、狭帯域ワイヤレス通信セル探索をサポートする狭帯域同期信号生成図の一例を示す図。
【図１１】[0035]本開示の態様による、狭帯域ワイヤレス通信セル探索をサポートするワイヤレスデバイスのブロック図。
【図１２】本開示の態様による、狭帯域ワイヤレス通信セル探索をサポートするワイヤレスデバイスのブロック図。
【図１３】本開示の態様による、狭帯域ワイヤレス通信セル探索をサポートするワイヤレスデバイスのブロック図。
【図１４】[0036]本開示の態様による、狭帯域ワイヤレス通信セル探索をサポートする基地局を含むシステムのブロック図。
【発明を実施するための形態】
【００２８】
[0037]基地局は、セル帯域幅の狭帯域部分を使用して、マシンタイプ通信（ＭＴＣ）デバイスなど、低コストまたは低複雑度デバイスと通信し得る。これらのデバイスを対象とする（toward）同期信号が、効率的なセル探索プロシージャを可能にするように設計され得る。たとえば、同期信号は、バイナリまたはポリフェーズ（polyphase）カバーコードを使用して繰り返される単一のシーケンスに基づき得る。
【００２９】
[0038]低複雑度デバイスのためのセル探索プロシージャは、ユーザ機器（ＵＥ）が第１のサンプリングレートにおけるいくつかの（a number of）時間オフセット仮定（hypotheses）を評価し得る、スライディング自己相関を実施することによって開始され得る。いくつかの場合には、（たとえば、ＵＥが同期信号を検出する場合）、ピーク自己相関パラメータに対応するタイミングまたは周波数仮定が、粗タイミングまたは周波数オフセット推定値を生成するために使用され得る。
【００３０】
[0039]スライディング自己相関が、同期信号に基づいて、タイミングおよび周波数オフセット推定値を生成するとき、低複雑度相互相関プロシージャが、同期信号の存在を確認するために、第１のサンプリングレートにおいて実施され得る。相互相関プロシージャの低減された複雑度は、同期信号の性質（properties）（たとえば、カバーコードの使用）に基づき得る。いくつかの場合には、相互相関は、スライディング自己相関段階において生成された粗タイミングおよび周波数オフセット推定値を拒否する（reject）ために使用され得る。
【００３１】
[0040]第１の相互相関の後に、ＵＥは、タイミングおよび周波数オフセット推定値を改良する（refine）ために、増加されたサンプリングレートにおいて追加の相互相関を使用し得る。次いで、改良されたタイミングおよび周波数オフセット推定値に基づいて、ＵＥは、セルの識別情報を示し得る、追加の信号（たとえば、２次同期信号（ＳＳＳ））を受信し得る。次いで、セル探索プロセスは、（たとえば、ＵＥが別のセルの探索を実施する場合）繰り返され得る。
【００３２】
[0041]上記で紹介された本開示の態様は、ワイヤレス通信システムのコンテキストにおいてさらに説明される。次いで、狭帯域セル探索プロシージャ、同期信号設計、および相関パターンの例が説明される。本開示の態様は、さらに、狭帯域ワイヤレス通信セル探索に関係する装置図、システム図、およびフローチャートによって示され、狭帯域ワイヤレス通信セル探索に関係する装置図、システム図、およびフローチャートを参照しながら説明される。
【００３３】
[0042]図１は、本開示の様々な態様による、ワイヤレス通信システム１００の一例を示す。ワイヤレス通信システム１００は、基地局１０５と、ＵＥ１１５と、コアネットワーク１３０とを含む。いくつかの例では、ワイヤレス通信システム１００はロングタームエボリューション（ＬＴＥ（登録商標））／ＬＴＥアドバンスト（ＬＴＥ−Ａ）ネットワークであり得る。ワイヤレス通信システム１００は、これらのデバイスがセル探索プロシージャ中に消耗する電力消費を低減するために、低コストまたは低複雑度デバイスのための専用狭帯域（ＮＢ）同期信号の使用をサポートし得る。
【００３４】
[0043]基地局１０５は、１つまたは複数の基地局アンテナを介してＵＥ１１５とワイヤレスに通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は固定または移動であり得る。ＵＥ１１５は、移動局、加入者局、リモートユニット、ワイヤレスデバイス、アクセス端末（ＡＴ）、ハンドセット、ユーザエージェント、クライアント、または同様の用語で呼ばれることもある。ＵＥ１１５はまた、セルラーフォン、ワイヤレスモデム、ハンドヘルドデバイス、パーソナルコンピュータ、タブレット、パーソナル電子デバイス、ＭＴＣデバイスなどであり得る。
【００３５】
[0044]基地局１０５は、コアネットワーク１３０および互いと通信し得る。たとえば、基地局１０５は、バックホールリンク１３２（たとえば、Ｓ１など）を通してコアネットワーク１３０とインターフェースし得る。基地局１０５は、直接または間接的にのいずれかで（たとえば、コアネットワーク１３０を通して）バックホールリンク１３４（たとえば、Ｘ２など）を介して互いと通信し得る。基地局１０５は、ＵＥ１１５との通信のための無線構成およびスケジューリングを実施し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。
【００３６】
[0045]いくつかのタイプのワイヤレスデバイスは、自動化された通信を提供し得る。自動（Automated）ワイヤレスデバイスは、モノのインターネット（ＩｏＴ）通信、マシンツーマシン（Ｍ２Ｍ）通信、またはＭＴＣを実装するものを含み得る。ＩｏＴ、Ｍ２ＭまたはＭＴＣは、デバイスが人の介入なしに互いにまたは基地局と通信することを可能にするデータ通信技術を指すことがある。たとえば、ＩｏＴ、Ｍ２ＭまたはＭＴＣは、情報を測定またはキャプチャするためにセンサーまたはメーターを組み込み、情報を活用することができる中央サーバまたはアプリケーションプログラムにその情報を中継するか、あるいはプログラムまたはアプリケーションと対話する人間に情報を提示する、デバイスからの通信を指すことがある。
【００３７】
[0046]いくつかのＵＥ１１５は、情報を集めるか、または機械の自動化された挙動を可能にするように設計されたものなど、ＭＴＣデバイスであり得る。ＭＴＣデバイスのための適用例の例は、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金を含む。ＭＴＣデバイスは、低減されたピークレートにおいて半二重（一方向）通信を使用して動作し得る。ＭＴＣデバイスはまた、アクティブ通信に関与していないとき、電力節約「ディープスリープ」モードに入るように構成され得る。
【００３８】
[0047]ワイヤレスネットワークにアクセスすることを試みるＵＥ１１５は、基地局１０５からの１次同期信号（ＰＳＳ）を検出することによって、初期セル探索を実施し得る。ＰＳＳは、スロットタイミングの同期を可能にし得、いくつかの場合には、物理レイヤ識別情報値を示し得る。他の場合には、たとえば、ＭＴＣまたはモノのインターネット（ＩｏＴ）デバイスを対象とするＰＳＳの場合、ＰＳＳは識別情報を含まないことがある。専用ＭＴＣまたはＩｏＴ  ＰＳＳは、ＵＥ１１５において同期プロセスを実施するために使用される処理電力を最小限に抑える（minimize）ように構成され得る。ＵＥ１１５は、次いで、ＳＳＳを受信し得る。ＳＳＳは、無線フレーム同期を可能にし得、セルを識別するための物理レイヤ識別情報値と組み合わせられ得る、セル識別情報（ＣＩＤ）値を与え得る。いくつかの場合には、ＳＳＳは、（たとえば、ＭＴＣまたはＩｏＴデバイスのための狭帯域ＰＳＳの場合）ＰＳＳとは無関係に（independently of）ＣＩＤを示し得る。ＳＳＳはまた、複信モードおよびＣＰ長の検出を可能にし得る。時分割複信（ＴＤＤ）システムなど、いくつかのシステムは、ＳＳＳを送信するが、ＰＳＳを送信しないことがある。
【００３９】
[0048]いくつかの場合には、ＰＳＳおよびＳＳＳは、それぞれ、キャリアの中心の６２個と７２個のサブキャリア中にあり得る。狭帯域ＰＳＳまたはＳＳＳは、（たとえば、単一のリソースブロック内の）より少ない数のトーンを利用し得る。ＰＳＳとＳＳＳとを受信した後に、ＵＥ１１５は、物理ブロードキャストチャネル（ＰＢＣＨ）中で送信され得る、マスタ情報ブロック（ＭＩＢ：master information block）を受信し得る。ＭＩＢは、システム帯域幅情報と、システムフレーム番号（ＳＦＮ：system frame number）と、物理ハイブリッド自動再送要求（ＨＡＲＱ：hybrid automatic repeat request）インジケータチャネル（ＰＨＩＣＨ：physical HARQ indicator channel）構成とを含んでいることがある。ＭＩＢを復号した後に、ＵＥ１１５は、１つまたは複数のシステム情報ブロック（ＳＩＢ）を受信し得る。たとえば、ＳＩＢ１は、セルアクセスパラメータと他のＳＩＢのためのスケジューリング情報とを含んでいることがある。ＳＩＢ１を復号することは、ＵＥ１１５がＳＩＢ２を受信することを可能にし得る。ＳＩＢ２は、ランダムアクセスチャネル（ＲＡＣＨ：random access channel）プロシージャと、ページングと、物理アップリンク制御チャネル（ＰＵＣＣＨ：physical uplink control channel）と、物理アップリンク共有チャネル（ＰＵＳＣＨ：physical uplink shared channel）と、電力制御と、サウンディング基準信号（ＳＲＳ：sounding reference signal）と、セル禁止とに関係する無線リソース制御（ＲＲＣ）構成情報を含んでいることがある。
【００４０】
[0049]いくつかの場合には、ワイヤレス通信システム１００は、１つまたは複数の拡張コンポーネントキャリア（ｅＣＣ：enhanced component carrier）を利用し得る。ｅＣＣは、フレキシブル帯域幅、異なる送信時間間隔（ＴＴＩ）、および変更された制御チャネル構成を含む、１つまたは複数の特徴によって特徴づけられ得る。いくつかの場合には、ｅＣＣは、（たとえば、複数のサービングセルが準最適なバックホールリンクを有するとき）キャリアアグリゲーション（ＣＡ）構成またはデュアル接続性構成に関連し得る。ｅＣＣはまた、（たとえば、２つ以上の事業者が、スペクトルを使用することを認可された場合）無認可スペクトルまたは共有スペクトル中で使用するために構成され得る。
【００４１】
[0050]フレキシブル帯域幅によって特徴づけられるｅＣＣは、全帯域幅を監視することが可能でないか、または（たとえば、電力を節約するために）限られた帯域幅を使用することを選好するＵＥ１１５によって利用され得る１つまたは複数のセグメントを含み得る。いくつかの場合には、ｅＣＣは、他のコンポーネントキャリア（ＣＣ）とは異なるＴＴＩ長を利用し得、これは、他のＣＣのＴＴＩと比較して低減されたまたは可変のシンボル持続時間の使用を含み得る。いくつかの場合には、シンボル持続時間は同じままであり得るが、各シンボルは別個のＴＴＩを表し得る。いくつかの例では、ｅＣＣは、異なるＴＴＩ長を使用する送信をサポートし得る。たとえば、いくつかのＣＣは、均一な（uniform）１ｍｓ  ＴＴＩを使用し得るが（whereas）、ｅＣＣは、スロット、シンボルのペア、または単一のシンボルのＴＴＩ長を使用し得る。いくつかの場合には、より短いシンボル持続時間も、増加されたサブキャリア間隔に関連し得る。低減されたＴＴＩ長とともに、ｅＣＣは動的ＴＤＤ動作を利用し得る（たとえば、ｅＣＣは、動的条件に従って短いバーストのためにＤＬ動作からＵＬ動作に切り替わり得る）。
【００４２】
[0051]フレキシブル帯域幅および可変ＴＴＩは、変更制御チャネル構成に関連し得る（たとえば、ｅＣＣは、ＤＬ制御情報のために拡張物理ダウンリンク制御チャネル（ｅＰＤＣＣＨ）を利用し得る）。たとえば、ｅＣＣの１つまたは複数の制御チャネルは、フレキシブル帯域幅使用に適応するために、周波数分割多重化（ＦＤＭ）スケジューリングを利用し得る。他の制御チャネル変更は、（たとえば、発展型マルチメディアブロードキャストマルチキャストサービス（ｅＭＢＭＳ）スケジューリングのための、または可変長ＵＬおよびＤＬバーストの長さを示すための）追加の制御チャネルの使用、あるいは異なる間隔で送信される制御チャネルの使用を含む。ｅＣＣは、変更または追加ＨＡＲＱ関係制御情報をも含み得る。
【００４３】
[0052]したがって、基地局１０５が、セルの帯域幅の狭帯域部分を使用して同期信号をブロードキャストし得る。同期信号は、電力効率的なセル収集をサポートするためにカバーコードを使用するいくつかのシンボル期間上で繰り返される基本シーケンスを含み得る。同期信号を受信するＵＥ１１５が、低複雑度自己相関および相互相関プロシージャの組合せを同期信号に対して実施することによって（by performing a combination of low complexity autocorrelation and cross-correlation procedures on the synchronization signal）、セルのための周波数およびタイミング情報を決定し得る。低減複雑度相関プロシージャは、カバーコードの使用に基づいて可能にされ得る。いくつかの場合には、相互相関は、複数のサンプリングレートにおいて実施され得る。同期信号内のカバーコードの使用はまた、（たとえば、他のセル探索プロシージャに対して）さらに低減された計算複雑度を可能にし得る、再帰的または繰返し更新を使用する相関プロシージャをサポートし得る。
【００４４】
[0053]図２は、狭帯域ワイヤレス通信セル探索のためのワイヤレス通信システム２００の一例を示す。ワイヤレス通信システム２００は、図１を参照しながら説明された対応するデバイスの例であり得る、基地局１０５−ａとＵＥ１１５−ａとを含み得る。ワイヤレス通信システム２００は、これらのデバイスがセル探索プロシージャ中に消耗する電力消費を低減するために、低コストまたは低複雑度デバイスのための専用狭帯域同期信号の使用をサポートし得る。
【００４５】
[0054]基地局１０５−ａは、セル帯域幅２０５を使用して通信し得る。しかしながら、ＵＥ１１５−ａは、ＭＴＣデバイスまたはＩｏＴデバイスであり得、（たとえば、電力を節約するために）セル帯域幅２０５全体（total cell bandwidth 205）を利用しないことがある。したがって、基地局１０５−ａは、セル帯域幅２０５の狭帯域部分２１０を使用してＵＥ１１５−ａと通信し得る。狭帯域モノのインターネット（ＮＢ−ＩｏＴ）動作は、物理デバイスが、狭帯域チャネル上でデータを集め（collect）、交換することを可能にし得る。これらのデバイスは、それらがワイヤレスに接続され得るように、エレクトロニクス、ソフトウェア、センサー、および／またはネットワーク接続性を組み込まれ（be embedded with）得る。
【００４６】
[0055]セル探索技法は、ネイバリングセルを識別することと、ＵＥ１１５−ａをネイバリングセルに同期させることとの両方を試み得る。ＵＥ１１５−ａは、ネイバリングセルが動作している周波数チャネルのサンプルを集めることによって、１次同期信号および２次同期信号を探索し得る。ＰＳＳおよびＳＳＳは、無線フレーム内でネイバリング基地局１０５によって送信され得る。いくつかの場合には、ネイバリングセルは、無線フレーム中で２つ以上の（more than one）ＳＳＳを送信し得る。ＵＥ１１５−ａは、ネイバリングセルを検出するために、ならびにそれ自体をネイバリングセルと同期させるために、２つ以上のＳＳＳを検出し得る。さらに、サンプリングレートは、ＵＥ１１５−ａが、所与の時間フレーム内に周波数チャネルのいくつのサンプルを集めるかを決定する。たとえば、より高いサンプリングレートが、ある（certain）時間フレーム中にとられる波形のより多数のサンプルに対応し得るが、より低いサンプリングレートが、ある時間フレーム中にとられるより小数のサンプル（a smaller number of sample）に対応し得る。したがって、より低いサンプリングレートは、低コストデバイスのためのメモリ要件を低減し得る。
【００４７】
[0056]同期信号を送信する際のパケット誤り率を最小限に抑えるために、アンチポーダル（Antipodal）シグナリングが使用され得る。信号空間では、アンチポーダルシグナリングは、信号内のシンボル間のユークリッド距離を最大にし得る。いくつかの場合には、アンチポーダル信号を作成するために、バイナリカバーコードが使用され得る。信号は、（たとえば、基地局１０５−ａにおいて）送信より前に、カバーコードを用いてコーディングされ得る。すなわち、基地局１０５−ａは、カバーコードを用いて、送信されるべき複数の基本シーケンス（multiple base sequences）をコーディングすることによって、同期信号を作成し得る。複数のシーケンスは、各々、個々の（individual）カバーコード値を用いて（with）コーディングされ得る。シーケンスレベルにおいて、アンチポーダルシグナリングは、信号検出およびタイミング収集の精度を高めるために、信号パターンをランダム化し、自己相関サイドローブを抑制し得る。
【００４８】
[0057]シンボルタイミング（たとえば、タイミングオフセット）およびキャリア周波数オフセットを決定することが、直交周波数分割多重（ＯＦＤＭ）信号の同期の結果を改善し得る。不正確なタイミングが、システム性能を低減し得る、シンボル間干渉（ＩＳＩ）およびキャリア間干渉（ＩＣＩ）を導入し得る。シンボルタイミングおよびキャリア周波数オフセットを決定するために使用される技法は、相互相関技法および自己相関技法を含み得る。相互相関は、２つのシリーズ（series）の類似度を、一方のシリーズのラグの他方のシリーズのラグに対する関数として（as a function of the lag of one relative to the other）測定し得る。相互相関は、２つの信号間の時間遅延を決定し得る。相互相関関数の最大値は、信号が最も良く整合させられる（best aligned）時点を示し得る。自己相関は、様々な時点での信号のそれ自体との相互相関であり得る。自己相関関数は、観測値（observations）間の類似度を、それらの間のタイムラグの関数として示すために使用され得る。これらの技法は、ＩＳＩおよびＩＣＩを低減するために使用され得る。しかしながら、これらの技法はまた、大量の処理電力および他のリソースを消費し得る。
【００４９】
[0058]本明細書で説明される、サンプリングレートは、アナログ信号または連続信号が離散信号またはデジタル信号に変換されるレートであり得る。サンプリングレートという用語は、いくつかのデジタル信号処理関数のためのクロックレートを指すこともある。低減されたサンプリングレートは、システム内の他のサンプリングレートに対して低減された（たとえば、それよりも小さい）サンプリングレートであり得る。いくつかの場合には、狭帯域ＵＥは、システム帯域幅に関連するサンプリングレートよりも低いサンプリングレート（たとえば、２０ＭＨｚチャネルのための３０．７２ＭＨｚではなく（instead of）１．４ＭＨｚサブチャネルのための１．９２ＭＨｚサンプリングレート）を使用し得る。一層低い（even lower）サンプリングレート（たとえば、２４０ｋＨｚ）が、初期セル探索に必要とされる計算集約的動作のために使用され得る。
【００５０】
[0059]狭帯域セル探索は、電力効率を増加させるために、複数のステップに分割され得る。最初に、ＵＥ１１５−ａは、スライディング自己相関技法を使用することによって、信号を検出し、キャリア周波数オフセット（ＣＦＯ）補正を実装し得る。次いで、ＵＥ１１５−ａは、信号に対して、相互相関技法を介した粗同期を実施し得る。次いで、改良されたおよび局所相互相関技法に基づく高速再帰的タイミングおよび周波数オフセット補正が、信号（the signal）に対して実施され得る。最後に、セルの識別情報を決定するために、ＳＳＳ処理技法が使用され得る。
【００５１】
[0060]狭帯域ＰＳＳ（ＮＢ−ＰＳＳ）または狭帯域ＳＳＳ（ＮＢ−ＳＳＳ）の構造は、電力節約信号処理技法を可能にし（facilitate）得る。たとえば、各ＮＢ−ＰＳＳシンボルは、（たとえば、長さＫ＝１１の）Ｚａｄｏｆｆ−Ｃｈｕ（ＺＣ）シーケンスなど、短いＣＡＺＡＣシーケンスを含み得る。シンボルレベルにおいて、これは、ＺＣシーケンスの良好な相関および低いピーク対平均電力性質（properties）を維持し（preserve）得る。いくつかの場合には、この構造は準周期的であり得、ここで、各ＰＳＳまたはＳＳＳシンボルは、同じ持続時間を有し得る。たとえば、１．９２ＭＨｚにおいてサンプリングされる場合、各ＰＳＳまたはＳＳＳシンボルは、レガシーＬＴＥサブフレームのための第２のスロットの第１のシンボルに関する１つの例示的な（sample）オフセットをもつ、１３７個のサンプルを有し得る。より広い帯域幅（たとえば、１８０ｋＨｚ超）の場合では、コードカバーのパターンおよびサイズ、ならびに基本シーケンスのパターンおよび長さは、収集精度、レイテンシおよび複雑度など、ＵＥ１１５の性能要件に従って、一緒に最適化され得る。
【００５２】
[0061]一例として、ＮＢ−ＰＳＳは、カバーコードと基本シーケンスとに基づいて、基地局１０５−ａによって作成され得る。デバイスは、最初に、ＬＴＥシンボルから基本シーケンスを作成し得る。シーケンスの長さは、デバイスによって送信されるべきＬＴＥシンボルの数（the number of）（たとえば、１１個のＬＴＥシンボル）に基づき得る。サブキャリアの基本シーケンスＺｋは、以下の式によって決定され得る。
【００５３】
【数１】
2020074528.tif 000003
【００５４】
[0062]デバイスは、その後、シーケンスを対応するサブキャリアにマッピングし、次いで、逆高速フーリエ変換（ＩＦＦＴ）を使用してシーケンスを変換し得る。ＣＰは、シーケンスの各シンボルの前に挿入され得る。次いで、シーケンスは、カバーコードを用いてコーディングされ得る。たとえば、ＬＴＥサブフレームの最後の１１個のＯＦＤＭシンボルにわたるサイズ１１（size-11）バイナリカバーコードが、
【００５５】
【数２】
2020074528.tif 000004
【００５６】
として示され得る。
【００５７】
[0063]シンボルレベルにおいて、このアンチポーダル信号は、信号空間中のユークリッド距離を最大にし得る。シーケンスレベルにおいて、アンチポーダル信号は、信号パターンをランダム化し、ならびに偏自己相関から生じるサイドローブを抑制し得る。
【００５８】
[0064]別の例では、ＬＴＥサブフレームの最後の１１個のＯＦＤＭシンボルにわたる（spans over）サイズ１１ポリフェーズカバーコードが使用され得る。バイナリカバーコードが２つの値（たとえば、位相値）のシーケンス（a sequence of two values (e.g., phase values)）を指すことがある場合、ポリフェーズカバーコードは、３つ以上の値（たとえば、３つ以上の位相値）を有するシーケンスを指す。
【００５９】
[0065]いくつかの場合には、ＮＢ−ＰＳＳまたはＮＢ−ＳＳＳシンボルのためのサブキャリアマッピングは、非ＮＢ  ＬＴＥシンボルと整合し得る。たとえば、ＮＢサブキャリアトーンは、０番目のサブキャリアの左側の最初の５つのサブキャリア上に、０番目のサブキャリアの右側の最初の５つのサブキャリア上に、および０番目のサブキャリア自体上にあり（located）得る。いくつかの場合には、サブキャリアインデックスの下側エッジおよび／または上側エッジにあるサブキャリアがないことがある（たとえば、ヌルトーン）。
【００６０】
[0066]電力効率的なセル探索器は、相互相関技法の効率的な実装を可能にし得る。たとえば、１１個のシンボルを備えるＮＢ−ＰＳＳシーケンス全体との相互相関を取得するために、１シンボル相関器が使用され得る。
【００６１】
[0067]時間および周波数オフセット仮定（τ，ｆ）のための受信された信号ｒ（ｔ）とローカル基準ａ（ｔ）との間の相互相関が、
【００６２】
【数３】
2020074528.tif 000005
【００６３】
【数４】
2020074528.tif 000006
【００６４】
【数５】
2020074528.tif 000007
【００６５】
によって与えられ得、ここで、ｒ（ｔ）およびＲｋは、受信された信号を表し、ａ（ｔ）および
【００６６】
【数６】
2020074528.tif 000008
【００６７】
はローカル信号であり、ｎはシンボル期間インデックスであり、Ｓ（ｎ）はカバーコードであり、Ｒ’ｋはカバーコード項を乗算された受信された信号を表す。本開示の態様では、カバーコードの項はバイナリであり得るので、１または−１による乗算は、加算より前に行われ得、これは、（たとえば、端部における（at the end）基準シーケンスによる乗算の単一の演算に対する（on））複素乗算演算の数（the number of）の有意な低減を可能にし得る。同様に、ポリフェーズカバーコードは、複素乗算演算の数の低減を可能にするために最適化され得る。
【００６８】
[0068]電力効率的なセル探索器はまた、タイミング仮定の再帰的更新を利用し得る。再帰的更新は、ＵＥが、各シーケンスセットを再計算する必要なしに（without having to）仮定を更新することを可能にし得る。各仮定は、２つ以上のシーケンスセットを有し得、ここで、各シーケンスセットは、シンボルと、カバーコードと、基準信号とを備え得る。各仮定は、さらに、推定された開始時間τに対応し得る。
【００６９】
[0069]たとえば、τ＝ｋＴであるとき、例示的な（sample）項は、
【００７０】
【数７】
2020074528.tif 000009
【００７１】
によって表され得る。
【００７２】
[0070]いくつかの例示的な項は、相関値を生成するために、上記で説明されたように組み合わせられ得る。後続の仮定は、前の仮定からの複数のシーケンスセットを備え得る。たとえば、τ＝（ｋ＋１）Ｔであるとき、例示的な項は、たとえば、τ＝ｋＴの場合の仮定（hypothesis with）を生成する際にすでに使用されていることがある、
【００７３】
【数８】
2020074528.tif 000010
【００７４】
によって表され得る。したがって、後続の仮定は、単一の項を削除（たとえば、フラッシュ）することによって、および単一の新しい項を生成することによって、使用される項のグループを調整し得る。前の仮定からの複数の前に生成された項を使用することによって、ＵＥ１１５は、追加の相互相関計算を実施することを回避し、それにより、処理または電力リソースを節約し得る。
【００７５】
[0071]再帰的更新は、シンボルレベルとサンプルレベルの両方において実装され得る。さらに、再帰的計算は、低サンプリングレート（たとえば、２４０ｋＨｚ）または高サンプリングレート（たとえば、１．９２ＭＨｚ）、あるいはそれらの組合せのいずれかに適用可能であり得る。さらに、再帰的更新は、タイミングベースまたは周波数ベースで実施され得る。
【００７６】
[0072]電力効率的なセル探索器はまた、周波数仮定の再帰的更新を利用し得る。タイミング仮定の場合と同様に（As with）、再帰的更新は、ＵＥ１１５が、各シーケンスセットを再計算する必要なしに周波数仮定を更新することを可能にし得る。各仮定は、２つ以上のシーケンスセットを有し得、ここで、各シーケンスセットは、シンボルと、カバーコードと、基準信号とを備え得る。各仮定は、さらに、中心周波数ｆ０に対する推定された周波数オフセットΔｆに対応し得る。
【００７７】
[0073]たとえば、ｆ１＝ｆ０＋Δｆであるとき、相関において使用される例示的な項は、
【００７８】
【数９】
2020074528.tif 000011
【００７９】
であり得る。
【００８０】
[0074]後続の仮定は、前の仮定からの複数の項を備え得、ここで、前の項は、推定された周波数オフセットに関係する変数を乗算され得る。たとえば、ｆ２＝ｆ０＋２Δｆであるとき、例示的な項は、たとえば、ｆ１＝ｆ０＋Δｆの場合の仮定において使用されていることがある、
【００８１】
【数１０】
2020074528.tif 000012
【００８２】
であり得る。後続の仮定は、前の仮定からの各項に１つまたは複数の変数を乗算することによって、項のそれのグループを調整し得、ここで、変数は、仮定間のΔｆの変化に対応し得る。前の仮定からの複数の項を使用することによって、ＵＥ１１５は、追加の相互相関計算を実施することを回避し、それにより、処理または電力リソースを節約し得る。
【００８３】
[0075]電力効率的なセル探索器は、自己相関技法と組み合わせて再帰的更新を利用し得る。たとえば、同期信号のＮ個のサンプルを仮定すれば、自己相関は、摂動項を使用して更新され得る。たとえば、既存の相関項のセットが、
【００８４】
【数１１】
2020074528.tif 000013
【００８５】
によって与えられる場合、摂動項に基づく更新は、
【００８６】
【数１２】
2020074528.tif 000014
【００８７】
によって与えられ得、ここにおいて、摂動項ε（τ）は、
【００８８】
【数１３】
2020074528.tif 000015
【００８９】
によって定義され得る。
【００９０】
[0076]平均相関パラメータを生成する際に使用される項を更新することによって、スライディング自己相関が実施され得る。いくつかの場合には、平均は、所与の時間期間の間の（for）個々の相関パラメータの簡易（simple）平均に基づき得る。他の場合には、重み付き平均が使用され得る。たとえば、時間期間｛０，１，２，３，．．．Ｑ｝に基づく平均が使用される場合、ｋ番目のスライディング自己相関項のための得られた平均は、
【００９１】
【数１４】
2020074528.tif 000016
【００９２】
によって与えられ得、ここで、ｋ＝１は、スライディング自己相関の最小ラグを示し、ｋ＝Ｋは、スライディング自己相関の最大ラグに対応する。
【００９３】
[0077]以下の式のうちの１つに従って、複数のラグのためのスライディング自己相関の組合せが更新され得る。
【００９４】
【数１５】
2020074528.tif 000017
【００９５】
【数１６】
2020074528.tif 000018
【００９６】
【数１７】
2020074528.tif 000019
【００９７】
[0078]いくつかの場合には、ＵＥ１１５は、何らかの（some）外部メトリック、測定メトリック、ユーザ選好、またはメトリックの組合せに基づいて、式１０、１１、または１２のうちの１つを選択し得る。測定メトリックの例は、経路損失または受信信号強度のメトリック（たとえば、受信信号強度インジケータ（ＲＳＳＩ）、ビーコン損失レート（ＢＬＲ）、信号対雑音比（ＳＮＲ）、経路損失（ＰＬ）など）を含む。外部メトリックの例は、基地局からの推定された距離、送信信号強度の指示、チャネル輻輳の指示などを含む。いくつかの態様によれば、式１０は、式１１または１２よりも多数の（a larger number of）計算に関連し得る（たとえば、これは、バッテリー電力を消費し得る）。式１０は、相関パラメータのより正確な推定値にさらに関連し得る。したがって、いくつかの態様では、ＵＥ１１５は、ＳＮＲが下限しきい値を下回る場合、式１０を選択し得るか、ＳＮＲが２つのしきい値の間にある場合、式１１を選択し得るか、またはＳＮＲが上限しきい値を上回る場合、式１２を選択し得る。
【００９８】
[0079]いくつかの場合には、たとえば、以下の式に従って、異なる同期期間にわたる再帰的累積が実施され得る。
【００９９】
【数１８】
2020074528.tif 000020
【０１００】
[0080]前述の式では、｛ｗ１，ｗ２，．．．ｗＫ｝はフレーム内組合せ（intra-frame combining）のための重みを示し、｛α，１−α｝はフレーム間組合せ（inter-frame combining）のための重みを示す。フレーム内およびフレーム間組合せのための重みは、探索器性能を向上させるために一緒に最適化され得る。いくつかの場合には、フレームにわたる再帰的累積は、（たとえば、かなりの量の雑音が存在するか、または受信信号強度が低い場合）増加された精度に関連し得る。
【０１０１】
[0081]本開示の態様では、タイミングオフセットまたは周波数オフセットのための推定値は、相関パラメータρ（τ）の（たとえば、時間的（in time））ロケーションと値（たとえば、振幅）とに基づいて取得され得る。
【０１０２】
[0082]図３は、狭帯域ワイヤレス通信セル探索のための同期信号３００の一例を示す。いくつかの場合には、同期信号３００は、図１〜図２を参照しながら説明されたように、ＵＥ１１５または基地局１０５によって実施される技法の態様を表し得る。いくつかの例では、同期信号３００は、ＰＳＳまたはＳＳＳを表し得る。
【０１０３】
[0083]同期信号３００は、Ｌ個のシンボル期間３０５上で拡散するＬ個の（a number L of）繰返しシーケンス（たとえば、行）を含む同期信号の一例を表し得る。各シーケンスは、Ｋ個の複素シンボル３１５を含み得る。いくつかの場合には、Ｋ個の複素シンボル３１５の各々は、複数のサブキャリア３１０のうちの１つにマッピングされ得る（たとえば、Ｋ個のサブキャリア３１０があり得る）。いくつかの場合には、Ｋ＝Ｌである。シンボル期間３０５の各々は、フルＣＡＺＡＣシーケンス（たとえば、Ｚａｄｏｆｆ−Ｃｈｕシーケンス）を含み得る。いくつかの例では、サブキャリアマッピングに続いて、各複素シンボル３１５は、ＩＦＦＴおよびＣＰ挿入（insertion）を受け（undergo）得る。本例では、ＣＰ挿入に続いて、シンボル期間３０５中の各複素シンボル３１５は、Ｌ個のシンボル期間３０５にわたって使用されるカバーコードの係数で（a factor of）符号化され得る。一例として、シーケンスの各繰返し（たとえば、各行）は、カバーコードからの係数を乗算され得る。たとえば、長さ１１Ｚａｄｏｆｆ−Ｃｈｕシーケンスは、［１，１，１，１，−１，−１，１，１，１，−１，１］のバイナリカバーコードとともに使用され得る。いくつかの場合には、アンチポーダルバイナリカバーコードを使用することは、信号空間（signal space）中の複素シンボル３１５間の最大ユークリッド距離を与え得る。それはまた、信号パターンのランダム化を可能にし得、信号の改善された自己相関のためのサイドローブを抑制し得る。この例では、所与のシンボル期間３０５中の各複素シンボル３１５は、Ｋ個の異なるサブキャリアにマッピングされ得る、Ｋ個の異なる基本シーケンス（たとえば、異なるルートインデックスまたは異なるサイクリックシフト）のうちの１つに関連し得る。追加または代替として、各複素シンボル３１５は、長さＬカバーコードを使用して所与のサブキャリア３１０において区別され得る。
【０１０４】
[0084]図４は、本開示の様々な態様による、狭帯域ワイヤレス通信セル探索のための相関パターン４００の一例を示す。相関パターン４００は、図１〜図２を参照しながら説明されたように、ＵＥ１１５によって実施され得る。相関パターン４００は、低コストまたは低複雑度デバイスのための専用狭帯域同期信号の使用によって可能にされる低減複雑度相関プロシージャの一例を表し得る。いくつかの場合には、相関パターン４００は、相互相関プロシージャまたは自己相関プロシージャの一例であり得る。
【０１０５】
[0085]相関パターン４００は、同期信号の受信されたシンボルのセット４１０（a set of received symbols 410）の、いくつかの（a number of）シンボル期間４０５上の基準信号４２０との比較を表し得る。いくつかの場合には、受信されたシンボルのセット４１０は、同期信号（たとえば、ＰＳＳ）を備え得る。いくつかの場合には、受信されたシンボルのセット４１０は、カバーコード４１５の適用の後の基準信号４２０に対応し得る。
【０１０６】
[0086]いくつかの場合には、受信されたシンボルのセット４１０によって占有されるシンボル期間４０５は、同期信号の送信のために使用されない、サブフレーム内のシンボル期間の数ｎ（a number of symbol periods n）に続き得る。いくつかの場合には、受信されたシンボルのセット４１０によって占有されるシンボル期間４０５は、サブフレーム中の最後のシンボルを表し得、したがって、サブフレーム中のシンボル期間の数は、ｎ＋受信されたシンボルのセット４１０によって占有されるシンボル期間４０５の数（n plus the number of symbol periods 405 occupied by the set of received symbols 410）に等しい。
【０１０７】
[0087]いくつかの場合には、相関プロシージャは、バイナリカバーコードの適用に基づく低複雑度相互相関であり得る。本例では、いくつかのシンボル期間４０５上の基準信号４２０の部分が、Ａまたは−Ａとして基準シーケンスによって表され得る。この例では、相関プロシージャは、（項を組み合わせるより前に、各項に異なる基準シーケンスを乗算することとは対照的に）単一の基準シーケンスＡを乗算するより前に、受信されたシンボルのセット４１０に対応する項を組み合わせることを含み得る。１または−１による乗算は低コスト演算であるので、複素乗算演算の数は著しく低減され得る。複素乗算演算の同様の低減は、ポリフェーズカバーコードを使用して達成され得る。
【０１０８】
[0088]図５は、狭帯域ワイヤレス通信セル探索のための狭帯域セル探索図５００の一例を示す。いくつかの場合には、セル探索図５００は、図１〜図２を参照しながら説明されたように、ＵＥ１１５または基地局１０５によって実施される技法の態様を表し得る。
【０１０９】
[0089]狭帯域セル探索図５００は、ネットワークにアクセスする他のワイヤレスデバイスのためのセル探索プロシージャに対する低減された電力を使用して、低コストまたは低複雑度デバイスがセルを識別することを可能にする、狭帯域セル探索プロシージャの一例を表す。
【０１１０】
[0090]スライディング自己相関段階５０５において、ＵＥ１１５は、式６〜９を使用して第１のサンプリングレートにおける（たとえば、２４０ｋＨｚにおける）いくつかの時間または周波数仮定を評価し得る。いくつかの場合には、（たとえば、ＵＥ１１５が、あるしきい値を上回る自己相関ピークを検出した場合）、ピーク自己相関パラメータに対応する周波数またはタイミング仮定が、推定段階５１０において第１の周波数またはタイミングオフセット推定値を生成するために使用され得る。自己相関パラメータは、上記で説明されたように、式１０〜１３のうちの少なくとも１つを使用して計算され得る。
【０１１１】
[0091]粗相互相関段階５１５において、ＵＥ１１５は、同期信号（たとえば、ＰＳＳ）の存在を確認するために、第１のサンプリングレートにおける（たとえば、２４０ｋＨｚにおける）低複雑度相互相関プロシージャを使用し得る。（たとえば、式３〜５によって表される）低減複雑度相互相関プロシージャが使用され得る。相互相関プロシージャの低減された複雑度は、ＰＳＳの性質に基づき得る。たとえば、ＰＳＳは、カバーコードを使用する複数のシンボル期間上の基本シーケンスの繰返しに基づく狭帯域ＰＳＳであり得る。いくつかの場合には、粗相互相関段階５１５はまた、第１のタイミングおよび周波数オフセット推定値をさらに改良するために使用され得る。いくつかの場合には、これは、第２の周波数およびタイミングオフセット推定値を生じ得る。代替的に、いくつかの場合には、粗相互相関段階５１５は、（たとえば、フォールスアラームであり、ＰＳＳが実際に存在しない場合）推定段階５１０において生成された粗タイミングおよび周波数オフセット推定値を拒否するために使用され得る。
【０１１２】
[0092]精密相互相関段階５２０において、ＵＥ１１５は、第２のタイミングおよび周波数オフセット推定値を改良するために、（たとえば、式３〜５を使用して）追加の低複雑度相互相関プロシージャを実施し得る。いくつかの場合には、精密相互相関は、第２のサンプリングレートにおいて（たとえば、１．９２ＭＨｚにおいて）実施され得る。いくつかの場合には、改良された第２のタイミングおよび周波数オフセット推定値は、タイミングまたは周波数オフセットの検出を生じ得る。
【０１１３】
[0093]セル識別段階５２５において、ＵＥ１１５は、タイミングおよび周波数オフセットに基づいて追加の信号（たとえば、ＳＳＳ）を受信し得る。いくつかの場合には、追加の信号は、ＰＳＳおよびＳＳＳを送信するセルの識別情報を示し得る。次いで、セル探索プロセスは、（たとえば、ＵＥ１１５が別のセルの探索を実施する場合）繰り返され得る。
【０１１４】
[0094]図６は、本開示の様々な態様による、狭帯域ワイヤレス通信セル探索をサポートするワイヤレスデバイス６０５のブロック図６００を示す。ワイヤレスデバイス６０５は、図１および図２を参照しながら説明されたＵＥ１１５の態様の一例であり得る。ワイヤレスデバイス６０５は、受信機６１０と、ＵＥ狭帯域セル探索マネージャ６１５と、送信機６２０とを含み得る。ワイヤレスデバイス６０５はプロセッサをも含み得る。これらの構成要素の各々は互いと通信していることがある。
【０１１５】
[0095]受信機６１０は、パケット、ユーザデータ、または様々な情報チャネルに関連する制御情報（たとえば、制御チャネル、データチャネル、および狭帯域ワイヤレス通信セル探索に関係する情報など）などの情報を受信し得る。情報は、リンク６２５を介してデバイスの他の構成要素に受け渡され得る。受信機６１０は、図９を参照しながら説明されるトランシーバ９２０の態様の一例であり得る。
【０１１６】
[0096]ＵＥ狭帯域セル探索マネージャ６１５は、リンク６２５を介して情報を受信し得る。いくつかの場合には、情報は、セルの帯域幅の狭帯域部分を使用して受信された同期信号を備え得、ここで、同期信号は、カバーコードを使用してシンボル期間のセット上で繰り返される基本シーケンスを含む。ＵＥ狭帯域セル探索マネージャ６１５は、同期信号とカバーコードとに基づいて、セルのための周波数オフセットまたはタイミングオフセットのうちの少なくとも１つを検出し得、周波数オフセットまたはタイミングオフセットを適用することに少なくとも部分的に基づいて、セルの識別情報を決定し得る。ＵＥ狭帯域セル探索マネージャ６１５はまた、図９を参照しながら説明されるＵＥ狭帯域セル探索マネージャ６１５−ｃの態様の一例であり得る。
【０１１７】
[0097]送信機６２０は、（たとえば、リンク６３０を介して）ワイヤレスデバイス６０５の他の構成要素から受信された信号を送信し得る。いくつかの例では、送信機６２０は、トランシーバモジュール中で受信機とコロケートされ得る。たとえば、送信機６２０は、図９を参照しながら説明されるトランシーバ９２０の態様の一例であり得る。送信機６２０は単一のアンテナを含み得るか、またはそれは複数のアンテナを含み得る。
【０１１８】
[0098]図７は、本開示の様々な態様による、狭帯域ワイヤレス通信セル探索をサポートするワイヤレスデバイス６０５−ａのブロック図７００を示す。ワイヤレスデバイス６０５−ａは、図１、図２および図６を参照しながら説明されたワイヤレスデバイス６０５またはＵＥ１１５の態様の一例であり得る。ワイヤレスデバイス６０５−ａは、受信機６１０−ａと、ＵＥ狭帯域セル探索マネージャ６１５−ａと、送信機６２０−ａとを含み得る。ワイヤレスデバイス６０５−ａはプロセッサをも含み得る。これらの構成要素の各々は、（たとえば、リンク６２５−ａ、６３０−ａ、７２０、または７２５のうちの１つを介して）互いと通信していることがある。
【０１１９】
[0099]受信機６１０−ａは、リンク６２５−ａを介してデバイスの他の構成要素に受け渡され得る情報を受信し得る。受信機６１０−ａはまた、図６の受信機６１０を参照しながら説明された機能を実施し得る。受信機６１０−ａは、図９を参照しながら説明されるトランシーバ９２０の態様の一例であり得る。
【０１２０】
[0100]ＵＥ狭帯域セル探索マネージャ６１５−ａは、図６を参照しながら説明されたＵＥ狭帯域セル探索マネージャ６１５の態様の一例であり得る。ＵＥ狭帯域セル探索マネージャ６１５−ａは、自己相関器７０５と、相互相関器７１０と、セル識別器７１５とを含み得る。ＵＥ狭帯域セル探索マネージャ６１５−ａは、図９を参照しながら説明されるＵＥ狭帯域セル探索マネージャ６１５−ｃの態様の一例であり得る。
【０１２１】
[0101]自己相関器７０５は、セルの帯域幅の狭帯域部分を使用して受信された同期信号を分析し得、ここで、同期信号は、カバーコードを使用してシンボル期間のセット上で繰り返される基本シーケンスを含む。いくつかの場合には、基本シーケンスは、ＣＡＺＡＣシーケンス（たとえば、Ｚａｄｏｆｆ−Ｃｈｕシーケンス）を含み得る。自己相関器７０５は、受信された信号の部分間の類似度を、それらの間のタイムラグの関数として決定し得る。いくつかの場合には、自己相関器７０５は、リンク６２５−ａを介して、分析のために、受信された信号の部分を受信し得る。自己相関器７０５は、上記の式６〜９および／または式１０〜１３を実施し得る。
【０１２２】
[0102]相互相関器７１０は、同期信号とカバーコードとに基づいて、セルのための周波数オフセットまたはタイミングオフセットのうちの少なくとも１つを検出し得る。いくつかの場合には、周波数またはタイミングオフセットは、（たとえば、リンク７２０を介して）自己相関器７０５から受信された情報に少なくとも部分的に基づき得る。追加または代替として、相互相関器７１０は、リンク６２５−ａを介して、分析のために、受信された信号の部分を受信し得る。相互相関器７１０は、上記の式３〜５を実施し得る。
【０１２３】
[0103]セル識別器７１５は、周波数オフセットまたはタイミングオフセットに基づいてセルを識別し得る。本開示の態様では、セル識別器７１５は、（たとえば、リンク７２５を介して）相互相関器７１０から受信された情報に依拠し得る。追加または代替として、セル識別器７１５は、リンク６２５−ａを介して、分析のために、受信された信号の部分を受信し得る。
【０１２４】
[0104]送信機６２０−ａは、（たとえば、リンク６３０−ａを介して）ワイヤレスデバイス６０５−ａの他の構成要素から受信された信号を送信し得る。いくつかの例では、送信機６２０−ａは、トランシーバモジュール中で受信機とコロケートされ得る。たとえば、送信機６２０−ａは、図９を参照しながら説明されるトランシーバ９２０の態様の一例であり得る。送信機６２０−ａは、単一のアンテナを利用し得るか、またはそれは複数のアンテナを利用し得る。
【０１２５】
[0105]図８は、ワイヤレスデバイス６０５またはワイヤレスデバイス６０５−ａの対応する構成要素の一例であり得る、ＵＥ狭帯域セル探索マネージャ６１５−ｂのブロック図８００を示す。ＵＥ狭帯域セル探索マネージャ６１５−ｂはまた、図９を参照しながら説明されるＵＥ狭帯域セル探索マネージャ６１５−ｃの態様の一例であり得る。
【０１２６】
[0106]ＵＥ狭帯域セル探索マネージャ６１５−ｂは、サンプラー８０５と、自己相関器７０５−ａと、第１の推定器８２０と、粗相互相関器８３０と、第２の推定器８４０と、改良された相互相関器８５５と、オフセット検出器８６５と、セル識別器７１５−ａとを含み得る。これらのモジュールの各々は、直接または間接的に、（たとえば、１つまたは複数のバスまたは通信リンクを介して）互いと通信し得る。
【０１２７】
[0107]サンプラー８０５は、アナログデジタル変換器の一例であり得る。本開示の態様では、サンプラーは、所与の周波数において（たとえば、リンク６２５−ａを介してサンプラー８０５に通信され得る）受信された波形をサンプリングし得る。一例として、サンプラー８０５は、第１の周波数（たとえば、２４０ｋＨｚ）において、受信された波形をサンプリングし得、他のモジュールにサンプルの第１のシーケンス８１０を通信し得る。サンプラー８０５は、追加または代替として、第２の周波数（たとえば、１．９２ＭＨｚ）において、受信された波形をサンプリングし、他のモジュールにサンプルの第２のシーケンス８５０を通信し得る。
【０１２８】
[0108]自己相関器７０５−ａは、図７を参照しながら説明された対応するデバイスの一例であり得る。本開示の態様では、自己相関器７０５−ａは、サンプルの第１のシーケンス８１０に対してスライディング自己相関を実施し得る。スライディング自己相関の態様が、図２、詳細には式６〜１３を参照しながら本明細書で説明された。いくつかの場合には、自己相関器７０５−ａは相関パラメータ８１５を決定し得る。
【０１２９】
[0109]第１の推定器８２０は、自己相関器７０５−ａから受信された相関パラメータ８１５に基づいて、第１のタイミングまたは周波数オフセット推定値８２５を決定し得る。
【０１３０】
[0110]粗相互相関器８３０は、第１のタイミングおよび周波数オフセット推定値８２５に少なくとも部分的に基づいて、サンプルの第１のシーケンス８１０に対して相互相関を実施し得る。粗相互相関の態様が、図２、詳細には式３〜５を参照しながら上記で説明された。いくつかの場合には、粗相互相関器８３０は、図５を参照しながら上記で説明されたように、同期信号の存在を確認または拒否し得る。粗相互相関器８３０は、第２の推定器８４０に同期信号の確認８３５を通信し得る。
【０１３１】
[0111]第２の推定器８４０は、粗相互相関器８３０から受信された確認８３５に少なくとも部分的に基づいて、第２のタイミングまたは周波数オフセット推定値８４５を決定し得る。
【０１３２】
[0112]改良された相互相関器８５５は、受信された第２のタイミングおよび周波数オフセット推定値８４５に少なくとも部分的に基づいて、サンプルの第２のシーケンス８５０に対して相互相関を実施し得る。改良された相互相関の態様が、図２を参照しながら、詳細には式３〜５を参照しながら上記で説明された。
【０１３３】
[0113]オフセット検出器８６５は、所与の同期信号に関連するタイミングまたは周波数オフセット８７０を検出し得る。本開示の態様では、タイミングまたは周波数オフセットは、改良された相互相関器８５５の出力８６０に少なくとも部分的に基づいて検出され得る。
【０１３４】
[0114]セル識別器７１５−ａは、図７を参照しながら説明された対応するデバイスの一例であり得る。本開示の態様では、セル識別器７１５−ａは、周波数およびタイミングオフセット８７０を、受信された波形６２５−ａに適用することに少なくとも部分的に基づいて、所与のセルの１つまたは複数のパラメータ（たとえば、セル識別情報、複信モード、ＣＰ長など）を決定し得る。これらのパラメータは、たとえば、リンク６３０−ａを介して、ＵＥ１１５に関連する他のモジュールに通信され得る。
【０１３５】
[0115]図９は、本開示の様々な態様による、狭帯域ワイヤレス通信セル探索をサポートするデバイスを含むシステム９００の図を示す。たとえば、システム９００は、図１、図２、図６、および図７を参照しながら説明されたように、ワイヤレスデバイス６０５−ａ、ワイヤレスデバイス６０５−ｂ、またはＵＥ１１５の一例であり得る、ＵＥ１１５−ｂを含み得る。
【０１３６】
[0116]ＵＥ１１５−ｂはまた、ＵＥ狭帯域セル探索マネージャ６１５−ｃと、メモリ９０５と、プロセッサ９１５と、トランシーバ９２０と、アンテナ９２５とＭＴＣコントローラ９３０とを含み得る。これらのモジュールの各々は、直接または間接的に、（たとえば、１つまたは複数のバス９３５を介して）互いと通信し得る。ＵＥ狭帯域セル探索マネージャ６１５−ｃは、図６〜図８を参照しながら説明されたように、ＵＥ狭帯域セル探索マネージャの一例であり得る。
【０１３７】
[0117]メモリ９０５は、ランダムアクセスメモリ（ＲＡＭ）および読取り専用メモリ（ＲＯＭ）を含み得る。メモリ９０５は、実行されたとき、プロセッサに本明細書で説明される様々な機能（たとえば、狭帯域ワイヤレス通信セル探索など）を実施させる命令を含むコンピュータ可読、コンピュータ実行可能ソフトウェアを記憶し得る。いくつかの場合には、ソフトウェア９１０は、プロセッサによって直接的に実行可能でないことがあるが、（たとえば、コンパイルされ実行されたとき）コンピュータに本明細書で説明される機能を実施させ得る。プロセッサ９１５は、インテリジェントハードウェアデバイス、（たとえば、中央処理ユニット（ＣＰＵ）、マイクロコントローラ、特定用途向け集積回路（ＡＳＩＣ）など）を含み得る
[0118]トランシーバ９２０は、上記で説明されたように、１つまたは複数のアンテナ、ワイヤードリンク、またはワイヤレスリンクを介して、１つまたは複数のネットワークと双方向に通信し得る。たとえば、トランシーバ９２０は、基地局１０５またはＵＥ１１５と双方向に通信し得る。トランシーバ９２０はまた、パケットを変調し、変調されたパケットを送信のためにアンテナに与えるための、およびアンテナから受信されたパケットを復調するためのモデムを含み得る。いくつかの場合には、ワイヤレスデバイスは単一のアンテナ９２５を含み得る。しかしながら、いくつかの場合には、デバイスは、複数のワイヤレス送信をコンカレントに送信または受信することが可能であり得る２つ以上のアンテナ９２５を有し得る。
【０１３８】
[0119]ＭＴＣコントローラ９３０は、セルの帯域幅の狭帯域部分を使用する通信などのＭＴＣまたはＩｏＴ動作を可能にし得る。
【０１３９】
[0120]図１０は、本開示の態様による、狭帯域ワイヤレス通信セル探索をサポートする狭帯域同期信号生成図１０００の一例を示す。図１０００の動作は、図１および図２を参照しながら説明されたように、基地局１０５などのデバイスまたはそれの構成要素によって実装され得る。たとえば、図１０００の動作は、本明細書で説明されるように、基地局狭帯域セル探索マネージャによって実施され得る。いくつかの例では、基地局１０５は、以下で説明される機能を実施するようにデバイスの機能要素を制御するためのコードのセットを実行し得る。追加または代替として、基地局１０５は、専用ハードウェアを使用して、以下で説明される機能態様を実施し得る。
【０１４０】
[0121]ブロック１００５において、基地局１０５は、（たとえば、式１を使用して）本開示の態様に従って１つまたは複数の基本シーケンスを生成し得る。いくつかの場合には、各基本シーケンスは、ＣＡＺＡＣシーケンス（たとえば、Ｚａｄｏｆｆ−Ｃｈｕシーケンス）の１つまたは複数のバージョンに基づき得る。
【０１４１】
[0122]ブロック１０１０において、基地局１０５は、随意に、複数のカバーコードのうちのどれが、ブロック１００５において生成された基本シーケンスに適用されるべきかを決定し得る。カバーコードの例は、バイナリカバーコード（たとえば、式２）、アンチポーダルバイナリカバーコード、およびポリフェーズシーケンスを含む。
【０１４２】
[0123]ブロック１０１５において、基地局１０５は、１つまたは複数の同期信号を生成し得る。いくつかの例では、各同期信号は、図２〜図５を参照しながら上記で説明されたように、基本シーケンスのバージョンのセットに適用されるカバーコードを含み得る。いくつかの例では、ブロック１０１５の動作は、図１２および図１３を参照しながら説明されたように、同期信号生成器によって実施され得る。
【０１４３】
[0124]ブロック１０２０において、基地局１０５は、１つまたは複数の同期信号（たとえば、ＰＳＳ、ＳＳＳ、または代替同期信号の何らかの組合せ）を送信し得る。一例として、ＰＳＳは、図２〜図５を参照しながら上記で説明されたように、シンボル期間のセット上でセルの帯域幅の狭帯域部分を使用して送信され得、ここで、基本シーケンスのバージョンのセットの各バージョンは、複数のシンボル期間のうちのシンボル期間を使用して送信される。追加または代替として、ＳＳＳは、セルの帯域幅の狭帯域部分上で送信され得る。いくつかの場合には、ＳＳＳは、セル識別情報の指示、複信モード、またはＣＰ長の何らかの組合せを含み得る。いくつかの実施形態では、基地局１０５は、セルの帯域幅の中心部分上で代替同期信号を送信し得、ここで、帯域幅の中心部分は、狭帯域部分よりも大きい。いくつかの例では、ブロック１０２０の動作は、図１２および図１３を参照しながら説明されたように、狭帯域信号マネージャによって実施され得る。
【０１４４】
[0125]図１１は、本開示の様々な態様による、狭帯域ワイヤレス通信セル探索をサポートするワイヤレスデバイス１１０５のブロック図１１００を示す。ワイヤレスデバイス１１０５は、図１および図２を参照しながら説明された基地局１０５の態様の一例であり得る。ワイヤレスデバイス１１０５は、受信機１１１０と、基地局狭帯域セル探索マネージャ１１１５と、送信機１１２０とを含み得る。ワイヤレスデバイス１１０５はプロセッサをも含み得る。これらの構成要素の各々は互いと通信していることがある。
【０１４５】
[0126]受信機１１１０は、パケット、ユーザデータ、または様々な情報チャネルに関連する制御情報（たとえば、制御チャネル、データチャネル、および狭帯域ワイヤレス通信セル探索に関係する情報など）などの情報を受信し得る。情報は、（たとえば、リンク１１２５）を介してデバイスの他の構成要素に受け渡され得る。受信機１１１０は、図１４を参照しながら説明されるトランシーバ１４２０の態様の一例であり得る。
【０１４６】
[0127]基地局狭帯域セル探索マネージャ１１１５は、基本シーケンスのバージョンのセットに適用されるカバーコードを含む同期信号を生成し得、シンボル期間のセット上でセルの帯域幅の狭帯域部分を使用して同期信号を送信し得る、ここで、基本シーケンスのバージョンのセットの各バージョンは、シンボル期間のセットのうちのシンボル期間を使用して送信される。基地局狭帯域セル探索マネージャ１１１５はまた、図１４を参照しながら説明される基地局狭帯域セル探索マネージャ１１１５−ｃの態様の一例であり得る。
【０１４７】
[0128]送信機１１２０は、（たとえば、リンク１１３０を介して）ワイヤレスデバイス１１０５の他の構成要素から受信された信号を送信し得る。いくつかの例では、送信機１１２０は、トランシーバモジュール中で受信機とコロケートされ得る。たとえば、送信機１１２０は、図１４を参照しながら説明されるトランシーバ１４２０の態様の一例であり得る。送信機１１２０は単一のアンテナを含み得るか、またはそれは複数のアンテナを含み得る。
【０１４８】
[0129]図１２は、本開示の様々な態様による、狭帯域ワイヤレス通信セル探索をサポートするワイヤレスデバイス１１０５−ａのブロック図１２００を示す。ワイヤレスデバイス１１０５−ａは、図１、図２、および図１１を参照しながら説明されたワイヤレスデバイス１１０５または基地局１０５の態様の一例であり得る。ワイヤレスデバイス１１０５−ａは、受信機１１１０−ａと、基地局狭帯域セル探索マネージャ１１１５−ａと、送信機１１２０−ａとを含み得る。ワイヤレスデバイス１１０５−ａはプロセッサをも含み得る。これらの構成要素の各々は（たとえば、リンク１１２５−ａ、１１３０−ａ、および１２１５を介して）互いと通信していることがある。
【０１４９】
[0130]受信機１１１０−ａは、（たとえば、リンク１１２５５−ａを介して）デバイスの他の構成要素に受け渡され得る情報を受信し得る。受信機１１１０−ａはまた、図１１の受信機１１１０を参照しながら説明された機能を実施し得る。受信機１１１０−ａは、図１４を参照しながら説明されるトランシーバ１４２０の態様の一例であり得る。
【０１５０】
[0131]基地局狭帯域セル探索マネージャ１１１５−ａは、図１１を参照しながら説明された基地局狭帯域セル探索マネージャ１１１５の態様の一例であり得る。基地局狭帯域セル探索マネージャ１１１５−ａは、同期信号生成器１２０５と狭帯域信号マネージャ１２１０とを含み得る。基地局狭帯域セル探索マネージャ１１１５−ａは、図１４を参照しながら説明される基地局狭帯域セル探索マネージャ１１１５−ｃの態様の一例であり得る。
【０１５１】
[0132]同期信号生成器１２０５は、基本シーケンスの複数のバージョンに適用されるカバーコードを含む同期信号を生成し得る。いくつかの場合には、カバーコードは、バイナリまたはポリフェーズシーケンスを含み得る。いくつかの場合には、基本シーケンスは、Ｚａｄｏｆｆ−Ｃｈｕシーケンスなど、ＣＡＺＡＣシーケンスを含み得る。
【０１５２】
[0133]狭帯域信号マネージャ１２１０は、（たとえば、図３を参照しながら上記で説明されたように、サブキャリアまたはシンボル期間に）同期信号をマッピングし得る。いくつかの場合には、同期信号は、リンク１２１５を介して狭帯域信号マネージャ１２１０に通信され得る。
【０１５３】
[0134]送信機１１２０−ａは、（たとえば、リンク１１３０−ａを介して）ワイヤレスデバイス１１０５−ａの他の構成要素から受信された信号を送信し得る。いくつかの例では、送信機１１２０−ａは、シンボル期間のセット上でセルの帯域幅の狭帯域部分を使用して同期信号を送信し得、ここで、シーケンスの複数のバージョンの各バージョンは、複数のシンボル期間のうちのシンボル期間を使用して送信される。いくつかの例では、送信機１１２０−ａは、トランシーバモジュール中で受信機とコロケートされ得る。たとえば、送信機１１２０−ａは、図１４を参照しながら説明されるトランシーバ１４２０の態様の一例であり得る。送信機１１２０−ａは、単一のアンテナを利用し得るか、またはそれは複数のアンテナを利用し得る。
【０１５４】
[0135]図１３は、図１１および図１２に関するワイヤレスデバイス１１０５またはワイヤレスデバイス１１０５−ａの対応する構成要素の一例であり得る、基地局狭帯域セル探索マネージャ１１１５−ｂのブロック図１３００を示す。基地局狭帯域セル探索マネージャ１１１５−ｂはまた、図１３を参照しながら説明される基地局狭帯域セル探索マネージャ１１１５−ｃの態様の一例であり得る。
【０１５５】
[0136]基地局狭帯域セル探索マネージャ１１１５−ｂは、ＰＳＳ生成器１３０５、ＳＳＳ生成器１３１０、代替信号生成器１３１５、狭帯域信号マネージャ１２１０−ａ、またはそれらの何らかの組合せを含み得る。これらのモジュールの各々は、直接または間接的に、（たとえば、１つまたは複数のバスを介して）互いと通信し得る。狭帯域セル探索マネージャ１１１５−ｂは、（たとえば、受信機から）リンク１１２５−ｂを介して情報を受信し得る。
【０１５６】
[0137]ＰＳＳ生成器１３０５は、基本シーケンスの複数のバージョンに適用されるカバーコードを含む第１の同期信号１３２０（たとえば、ＰＳＳ）を生成し得る。いくつかの場合には、基本シーケンスはＣＡＺＡＣシーケンスであり得る。カバーコードの例は、バイナリカバーコード、アンチポーダルバイナリカバーコード、またはポリフェーズシーケンスを含む。
【０１５７】
[0138]ＳＳＳ生成器１３１０は、セル識別情報の指示を含む、第２の同期信号１３２５（たとえば、ＳＳＳ）を生成し得る。第２の同期信号１３２５は、基本シーケンスの複数のバージョンに適用されるカバーコードを含み得る。いくつかの場合には、ＳＳＳは、複信モードまたはＣＰ長をさらに含み得る。
【０１５８】
[0139]第１の同期信号１３２０および第２の同期信号１３２５は、それぞれ、狭帯域信号マネージャ１２１０−ａに通信され得る（たとえば、それらは、異なる時間に通信され得る）。本開示の態様では、狭帯域信号マネージャ１２１０−ａは、上記で説明されたように、同期信号を（たとえば、サブキャリアまたはシンボル期間に）マッピングし得る。
【０１５９】
[0140]代替信号生成器１３１５は、１つまたは複数の追加の同期信号１３３５を生成し得る。本開示の態様では、これらの追加の同期信号１３３５は、帯域幅の、狭帯域同期信号よりも広い部分を使用して送信され得る。
【０１６０】
[0141]狭帯域セル探索マネージャ１１１５−ｂは、（たとえば、送信機に）リンク１１３０−ｂを介して情報を与え得る。いくつかの場合には、リンク１１３０−ｂを介して与えられる情報は、狭帯域信号マネージャ１２１０−ａと代替信号生成器１３１５の出力（outputs）の組合せを表し得、ここで、それらの出力は、それぞれ、リンク１３３５および１３３０によって与えられる。
【０１６１】
[0142]図１４は、本開示の様々な態様による、狭帯域ワイヤレス通信セル探索をサポートする構成されたデバイスを含むワイヤレスシステム１４００の図を示す。たとえば、システム１４００は、図１、図２、図１１、および図１２を参照しながら説明されたように、ワイヤレスデバイス１１０５、ワイヤレスデバイス１１０５−ａ、または基地局１０５の一例であり得る、基地局１０５−ｃを含み得る。基地局１０５−ｃはまた、通信を送信するための構成要素と通信を受信するための構成要素とを含む、双方向音声およびデータ通信のための構成要素を含み得る。たとえば、基地局１０５−ｃは、１つまたは複数のＵＥ１１５と双方向に通信し得る。
【０１６２】
[0143]基地局１０５−ｃは、基地局狭帯域セル探索マネージャ１１１５−ｃと、メモリ１４０５と、プロセッサ１４１５と、トランシーバ１４２０と、アンテナ１４２５と、基地局通信モジュール１４３０と、ネットワーク通信モジュール１４３５とをも含み得る。これらのモジュールの各々は、直接または間接的に、（たとえば、１つまたは複数のバスまたはリンク１４４０を介して）互いと通信し得る。基地局狭帯域セル探索マネージャ１１１５−ｃは、図１１〜図１３を参照しながら説明されたように、基地局狭帯域セル探索マネージャの一例であり得る。
【０１６３】
[0144]メモリ１４０５はＲＡＭおよびＲＯＭを含み得る。メモリ１４０５は、実行されたとき、プロセッサに本明細書で説明される様々な機能（たとえば、狭帯域ワイヤレス通信セル探索など）を実施させる命令を含むコンピュータ可読、コンピュータ実行可能ソフトウェアを記憶し得る。いくつかの場合には、ソフトウェア１４１０は、プロセッサによって直接的に実行可能でないことがあるが、（たとえば、コンパイルされ実行されたとき）コンピュータに本明細書で説明される機能を実施させ得る。プロセッサ１４１５は、インテリジェントハードウェアデバイス、（たとえば、ＣＰＵ、マイクロコントローラ、ＡＳＩＣなど）を含み得る
[0145]トランシーバ１４２０は、上記で説明されたように、１つまたは複数のアンテナ、ワイヤードリンク、またはワイヤレスリンクを介して、１つまたは複数のネットワークと双方向に通信し得る。たとえば、トランシーバ１４２０は、基地局１０５またはＵＥ１１５と双方向に通信し得る。トランシーバ１４２０はまた、パケットを変調し、変調されたパケットを送信のためにアンテナに与えるための、およびアンテナから受信されたパケットを復調するためのモデムを含み得る。いくつかの場合には、ワイヤレスデバイスは単一のアンテナ１４２５を含み得る。しかしながら、いくつかの場合には、デバイスは、複数のワイヤレス送信をコンカレントに送信または受信することが可能であり得る２つ以上のアンテナ１４２５を有し得る。
【０１６４】
[0146]基地局通信モジュール１４３０は、他の基地局１０５との通信を管理し得、他の基地局１０５と協働してＵＥ１１５との通信を制御するためのコントローラまたはスケジューラを含み得る。たとえば、基地局通信モジュール１４３０は、ビームフォーミングまたはジョイント送信などの様々な干渉緩和技法のためのＵＥ１１５への送信のためのスケジューリングを協調させ得る。いくつかの例では、基地局通信モジュール１４３０は、基地局１０５間の通信を行うために、ＬＴＥ／ＬＴＥ−Ａワイヤレス通信ネットワーク技術内のＸ２インターフェースを与え得る。
【０１６５】
[0147]ネットワーク通信モジュール１４３５は、（たとえば、１つまたは複数のワイヤードバックホールリンクを介して）コアネットワークとの通信を管理し得る。たとえば、ネットワーク通信モジュール１４３５は、１つまたは複数のＵＥ１１５など、クライアントデバイスのためのデータ通信の転送を管理し得る。
【０１６６】
[0148]本明細書で説明される方法は、可能な実装形態を表すこと、ならびに動作およびステップは、他の実装形態が可能であるように、並べ替えられるかまたは場合によっては変更され得ることに留意されたい。いくつかの例では、方法のうちの２つまたはそれ以上からの態様が組み合わせられ得る。たとえば、方法の各々の態様は、他の方法のステップまたは態様、あるいは本明細書で説明される他のステップまたは技法を含み得る。したがって、本開示の態様は、狭帯域ワイヤレス通信セル探索を与え得る。
【０１６７】
[0149]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
【０１６８】
[0150]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「１つまたは複数の」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１６９】
[0151]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１７０】
[0152]本明細書で説明される技法は、ＣＤＭＡ、ＴＤＭＡ、ＦＤＭＡ、ＯＦＤＭＡ、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ユニバーサルモバイルテレコミュニケーションズシステム（ＵＭＴＳ：Universal Mobile Telecommunications System））の一部である。３ＧＰＰ（登録商標）  ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププ
ロジェクト２」（３ＧＰＰ２：3rd Generation Partnership Project 2）と称する団体からの文書に記載されている。本明細書で説明された技法は、上述のシステムおよび無線技術、ならびに他のシステムおよび無線技術のために使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１７１】
[0153]本明細書で説明されたネットワークを含む、ＬＴＥ／ＬＴＥ−Ａネットワークでは、発展型ノードＢ（ｅＮＢ）という用語は、概して、基地局を表すために使用され得る。本明細書で説明された１つまたは複数のワイヤレス通信システムは、異なるタイプのｅＮＢが様々な地理的領域にカバレージを与える、異種ＬＴＥ／ＬＴＥ−Ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア（ＣＣ）、あるいはキャリアまたは基地局のカバレージエリア（たとえば、セクタなど）を表すために使用され得る３ＧＰＰ用語である。
【０１７２】
[0154]基地局は、基地トランシーバ局、無線基地局、アクセスポイント（ＡＰ）、無線トランシーバ、ノードＢ、ｅノードＢ（ｅＮＢ）、ホームノードＢ、ホームｅノードＢ、または何らかの他の好適な用語を含み得るか、あるいはそのように当業者によって呼ばれることがある。基地局のための地理的カバレージエリアは、カバレージエリアの一部分のみを構成するセクタに分割され得る。本明細書で説明された１つまたは複数のワイヤレス通信システムは、異なるタイプの基地局（たとえば、マクロセル基地局またはスモールセル基地局）を含み得る。本明細書で説明されたＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。いくつかの場合には、異なるカバレージエリアが異なる通信技術に関連し得る。いくつかの場合には、ある通信技術のためのカバレージエリアは、別の技術に関連するカバレージエリアと重複し得る。異なる技術は、同じ基地局に、または異なる基地局に関連し得る。
【０１７３】
[0155]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、ＣＣ）をサポートし得る。ＵＥは、マクロｅＮＢ、スモールセルｅＮＢ、リレー基地局などを含む、様々なタイプの基地局およびネットワーク機器と通信することが可能であり得る。
【０１７４】
[0156]本明細書で説明された１つまたは複数のワイヤレス通信システムは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明された技法は、同期動作または非同期動作のいずれかのために使用され得る。
【０１７５】
[0157]本明細書で説明されたＤＬ送信は順方向リンク送信と呼ばれることもあり、ＵＬ送信は逆方向リンク送信と呼ばれることもある。たとえば、図１および図２のワイヤレス通信システム１００および２００を含む、本明細書で説明された各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明された通信リンク（たとえば、図１の通信リンク１２５）は、周波数分割複信（ＦＤＤ）動作を使用して（たとえば、対スペクトルリソースを使用して）またはＴＤＤ動作を使用して（たとえば、不対スペクトルリソースを使用して）双方向通信を送信し得る。ＦＤＤ（たとえば、フレーム構造タイプ１）およびＴＤＤ（たとえば、フレーム構造タイプ２）のためのフレーム構造が定義され得る。
【０１７６】
[0158]したがって、本開示の態様は、狭帯域ワイヤレス通信セル探索を与え得る。これらの方法は可能な実装形態を表すこと、ならびに動作およびステップは、他の実装形態が可能であるように、並べ替えられるかまたは場合によっては変更され得ることに留意されたい。いくつかの例では、方法のうちの２つまたはそれ以上からの態様が組み合わせられ得る。
【０１７７】
[0159]本明細書の開示に関して説明された様々な例示的なブロックおよびモジュールは、汎用プロセッサ、デジタル信号プロセッサ（ＤＳＰ）、ＡＳＩＣ、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。したがって、本明細書で説明された機能は、１つまたは複数の他の処理ユニット（またはコア）によって、少なくとも１つの集積回路（ＩＣ）上で実施され得る。様々な例では、当技術分野で知られている任意の様式でプログラムされ得る、異なるタイプのＩＣ（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【０１７８】
[0160]添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
以下に本願の出願当初の特許請求の範囲に記載された発明を付記する。
[Ｃ１]  セルの帯域幅の狭帯域部分を使用して同期信号を受信することと、ここにおいて、前記同期信号が、カバーコードを使用して複数のシンボル期間上で繰り返される基本シーケンスを備える、
前記同期信号と前記カバーコードとに少なくとも部分的に基づいて、前記セルのための周波数オフセットまたはタイミングオフセットのうちの少なくとも１つを検出することと、
前記周波数オフセットまたは前記タイミングオフセットのうちの前記少なくとも１つを適用することに少なくとも部分的に基づいて、前記セルの識別情報を決定することと
を備えるワイヤレス通信の方法。
[Ｃ２]  前記検出することが、
第１のサンプリングレートにおける前記同期信号に対するスライディング自己相関を使用して、第１のタイミングオフセット推定値または第１の周波数オフセット推定値を決定することと、
前記第１のタイミングオフセット推定値または前記第１の周波数オフセット推定値を適用することに少なくとも部分的に基づいて、前記第１のサンプリングレートにおける前記同期信号に対する第１の相互相関を使用して、第２のタイミングオフセット推定値または第２の周波数オフセット推定値を決定することと、
前記第２のタイミングオフセット推定値または前記第２の周波数オフセット推定値を適用することに少なくとも部分的に基づいて、第２のサンプリングレートにおける前記同期信号に対する第２の相互相関を使用して、前記周波数オフセットまたは前記タイミングオフセットのうちの前記少なくとも１つを検出することと
を備える、Ｃ１に記載の方法。
[Ｃ３]  前記スライディング自己相関が、複数のラグのためのスライディング自己相関の組合せを備える、Ｃ２に記載の方法。
[Ｃ４]  メトリックに少なくとも部分的に基づいて、複数の組合せ関数から、複数のラグのためのスライディング自己相関の前記組合せのための関数を選択すること
をさらに備える、Ｃ３に記載の方法。
[Ｃ５]  前記スライディング自己相関、前記第１の相互相関、または前記第２の相互相関のうちの少なくとも１つが、前記同期信号の相関パラメータの更新に少なくとも部分的に基づく、Ｃ２に記載の方法。
[Ｃ６]  前記カバーコードに少なくとも部分的に基づいて、複数のシーケンス項の第１の値を決定することと、ここにおいて、前記複数のシーケンス項の各シーケンス項が、前記複数のシンボル期間のうちのシンボル期間の間に受信された前記同期信号の一部分に対応する、  前記第１の値と基準シーケンス項とに少なくとも部分的に基づいて、第２の値を決定することと、ここにおいて、前記第１の相互相関または前記第２の相互相関が、前記第２の値に少なくとも部分的に基づく、
をさらに備える、Ｃ２に記載の方法。
[Ｃ７]  前記スライディング自己相関の累積が、前記同期信号の少なくとも１つの前に受信されたバージョンの相関パラメータと、前記同期信号の相関パラメータとに少なくとも部分的に基づく、Ｃ２に記載の方法。
[Ｃ８]  ２次同期信号（ＳＳＳ）に少なくとも部分的に基づいて、前記セルの前記識別情報を決定することをさらに備え、ここにおいて、前記ＳＳＳが、前記タイミングオフセットまたは前記周波数オフセットのうちの前記少なくとも１つの前記適用することに少なくとも部分的に基づいて、受信された信号中で識別される、
Ｃ１に記載の方法。
[Ｃ９]  前記セルの前記識別情報を前記決定することが、複信モードまたはサイクリックプレフィックス（ＣＰ）長を決定することをさらに備える、Ｃ１に記載の方法。
[Ｃ１０]  前記基本シーケンスが定振幅ゼロ自己相関（ＣＡＺＡＣ）シーケンスを備える、Ｃ１に記載の方法。
[Ｃ１１]  前記カバーコードがバイナリカバーコードを備える、Ｃ１に記載の方法。
[Ｃ１２]  前記バイナリカバーコードがアンチポーダルバイナリカバーコードを備える、Ｃ１１に記載の方法。
[Ｃ１３]  前記カバーコードがポリフェーズシーケンスを備える、Ｃ１に記載の方法。[Ｃ１４]  基本シーケンスの複数のバージョンに適用されるカバーコードを含む同期信号を生成することと、
複数のシンボル期間上でセルの帯域幅の狭帯域部分を使用して前記同期信号を送信することと、ここにおいて、前記基本シーケンスの前記複数のバージョンの各バージョンが、前記複数のシンボル期間のうちのシンボル期間を使用して送信される、
を備えるワイヤレス通信の方法。
[Ｃ１５]  前記セルの前記帯域幅の中心部分を使用して第２の同期信号を送信することをさらに備え、ここにおいて、前記帯域幅の前記中心部分が、前記帯域幅の前記狭帯域部分よりも大きい、
Ｃ１４に記載の方法。
[Ｃ１６]  前記セルの識別情報の指示、複信モード、またはサイクリックプレフィックス（ＣＰ）長のうちの少なくとも１つを備える２次同期信号（ＳＳＳ）を送信すること
をさらに備える、Ｃ１４に記載の方法。
[Ｃ１７]  前記カバーコードがバイナリカバーコードを備える、Ｃ１４に記載の方法。[Ｃ１８]  前記バイナリカバーコードがアンチポーダルバイナリカバーコードを備える、Ｃ１７に記載の方法。
[Ｃ１９]  前記カバーコードがポリフェーズシーケンスを備える、Ｃ１４に記載の方法。[Ｃ２０]  前記基本シーケンスが定振幅ゼロ自己相関（ＣＡＺＡＣ）シーケンスを備える、Ｃ１４に記載の方法。
[Ｃ２１]  複数の物理リソースブロック（ＰＲＢ）上で前記同期信号を送信すること
をさらに備える、Ｃ１４に記載の方法。
[Ｃ２２]  複数の同期信号を生成することと、ここにおいて、各同期信号が、前記基本シーケンスの複数のバージョンに適用される複数のカバーコードのうちの１つを含む、
複数の物理リソースブロック（ＰＲＢ）上で前記複数の同期信号を送信することと
をさらに備える、Ｃ１４に記載の方法。
[Ｃ２３]  セルの帯域幅の狭帯域部分を使用して同期信号を受信するための手段と、ここにおいて、前記同期信号が、カバーコードを使用して複数のシンボル期間上で繰り返される基本シーケンスを備える、
前記同期信号と前記カバーコードとに少なくとも部分的に基づいて、前記セルのための周波数オフセットまたはタイミングオフセットのうちの少なくとも１つを検出するための手段と、
前記周波数オフセットまたは前記タイミングオフセットのうちの前記少なくとも１つを適用することに少なくとも部分的に基づいて、前記セルの識別情報を決定するための手段と
を備える、ワイヤレス通信のための装置。
[Ｃ２４]  第１のサンプリングレートにおける前記同期信号に対するスライディング自己相関を使用して、第１のタイミングオフセット推定値または第１の周波数オフセット推定値を決定するための手段と、
前記第１のタイミングオフセット推定値または前記第１の周波数オフセット推定値を適用することに少なくとも部分的に基づいて、前記第１のサンプリングレートにおける前記同期信号に対する第１の相互相関を使用して、第２のタイミングオフセット推定値または第２の周波数オフセット推定値を決定するための手段と、
をさらに備え、
ここにおいて、前記周波数オフセットまたは前記タイミングオフセットのうちの前記少なくとも１つを検出するための前記手段が、前記第２のタイミングオフセット推定値または前記第２の周波数オフセット推定値を適用することに少なくとも部分的に基づいて、第２のサンプリングレートにおいて前記同期信号に対して実施された第２の相互相関を使用して、前記周波数オフセットまたは前記タイミングオフセットのうちの前記少なくとも１つを検出する、
Ｃ２３に記載の装置。
[Ｃ２５]  前記同期信号の相関パラメータを再帰的に更新するための手段をさらに備え、ここにおいて、前記スライディング自己相関、前記第１の相互相関、または前記第２の相互相関のうちの少なくとも１つが、前記再帰的に更新された相関パラメータに少なくとも部分的に基づく、Ｃ２４に記載の装置。
[Ｃ２６]  前記カバーコードに少なくとも部分的に基づいて、複数のシーケンス項の第１の値を決定するための手段と、ここにおいて、前記複数のシーケンス項の各シーケンス項が、前記複数のシンボル期間のうちのシンボル期間の間に受信された前記同期信号の一部分に対応する、
前記第１の値と基準シーケンス項とに少なくとも部分的に基づいて、第２の値を決定するための手段と、ここにおいて、前記第１の相互相関または前記第２の相互相関が、前記第２の値に少なくとも部分的に基づく、
をさらに備える、Ｃ２４に記載の装置。
[Ｃ２７]  ２次同期信号（ＳＳＳ）に少なくとも部分的に基づいて、前記セルの前記識別情報を決定するための手段をさらに備え、ここにおいて、前記ＳＳＳが、前記タイミングオフセットまたは前記周波数オフセットのうちの前記少なくとも１つの前記適用することに少なくとも部分的に基づいて、受信された信号中で識別される、
Ｃ２３に記載の装置。
[Ｃ２８]  基本シーケンスの複数のバージョンに適用されるカバーコードを含む同期信号を生成するための手段と、
複数のシンボル期間上でセルの帯域幅の狭帯域部分を使用して前記同期信号を送信するための手段と、ここにおいて、前記基本シーケンスの前記複数のバージョンの各バージョンが、前記複数のシンボル期間のうちのシンボル期間を使用して送信される、
を備える、ワイヤレス通信のための装置。
[Ｃ２９]  送信するための前記手段が、前記セルの前記帯域幅の中心部分を使用して追加の同期信号を送信し、ここにおいて、前記帯域幅の前記中心部分が、前記帯域幅の前記狭帯域部分よりも大きい、Ｃ２８に記載の装置。
[Ｃ３０]  送信するための前記手段が、セル識別情報の指示を備える２次同期信号（ＳＳＳ）を送信する、Ｃ２８に記載の装置。
【図１】
2020074528.tif 000021
【図２】
2020074528.tif 000022
【図３】
2020074528.tif 000023
【図４】
2020074528.tif 000024
【図５】
2020074528.tif 000025
【図６】
2020074528.tif 000026
【図７】
2020074528.tif 000027
【図８】
2020074528.tif 000028
【図９】
2020074528.tif 000029
【図１０】
2020074528.tif 000030
【図１１】
2020074528.tif 000031
【図１２】
2020074528.tif 000032
【図１３】
2020074528.tif 000033
【図１４】
2020074528.tif 000034
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
基本シーケンスの複数のバージョンに適用されるカバーコードを含む同期信号を生成することと、
複数のシンボル期間上でセルの帯域幅の狭帯域部分を使用して前記同期信号を送信することと、ここにおいて、前記基本シーケンスの前記複数のバージョンの各バージョンが、前記複数のシンボル期間のうちのシンボル期間を使用して送信される、
を備える、ワイヤレス通信の方法。
【請求項２】
前記セルの前記帯域幅の中心部分を使用して第２の同期信号を送信することをさらに備え、ここにおいて、前記帯域幅の前記中心部分が、前記帯域幅の前記狭帯域部分よりも大きい、
請求項１に記載の方法。
【請求項３】
前記セルの識別情報の指示、複信モード、またはサイクリックプレフィックス（ＣＰ）長のうちの少なくとも１つを備える２次同期信号（ＳＳＳ）を送信すること
をさらに備える、請求項１に記載の方法。
【請求項４】
前記カバーコードがバイナリカバーコードを備える、請求項１に記載の方法。
【請求項５】
前記バイナリカバーコードがアンチポーダルバイナリカバーコードを備える、請求項４に記載の方法。
【請求項６】
前記カバーコードがポリフェーズシーケンスを備える、請求項１に記載の方法。
【請求項７】
前記基本シーケンスが定振幅ゼロ自己相関（ＣＡＺＡＣ）シーケンスを備える、請求項１に記載の方法。
【請求項８】
複数の物理リソースブロック（ＰＲＢ）上で前記同期信号を送信すること
をさらに備える、請求項１に記載の方法。
【請求項９】
複数の同期信号を生成することと、ここにおいて、各同期信号が、前記基本シーケンスの複数のバージョンに適用される複数のカバーコードのうちの１つを含む、
複数の物理リソースブロック（ＰＲＢ）上で前記複数の同期信号を送信することと
をさらに備える、請求項１に記載の方法。
【請求項１０】
ワイヤレス通信のための装置であって、
プロセッサと、
前記プロセッサと電子通信しているメモリと、
前記メモリに記憶された命令と、
を備え、前記命令が、前記プロセッサによって実行されると、前記装置に、
基本シーケンスの複数のバージョンに適用されるカバーコードを含む同期信号を生成することと、
複数のシンボル期間上でセルの帯域幅の狭帯域部分を使用して前記同期信号を送信することと、ここにおいて、前記基本シーケンスの前記複数のバージョンの各バージョンが、前記複数のシンボル期間のうちのシンボル期間を使用して送信される、
を行わせるように動作可能である、装置。
【請求項１１】
前記命令が、前記装置に、
前記セルの前記帯域幅の中心部分を使用して追加の同期信号を送信させるように動作可能であり、ここにおいて、前記帯域幅の前記中心部分が、前記帯域幅の前記狭帯域部分よりも大きい、請求項１０に記載の装置。
【請求項１２】
前記命令が、前記装置に、
セル識別情報の指示を備える２次同期信号（ＳＳＳ）を送信させるように動作可能である、請求項１０に記載の装置。